(57)【特許請求の範囲】
【請求項１】
第１のメモリセルと、第２のメモリセルと、を有する緩衝記憶装置であって、
前記第１のメモリセルは、第１の酸化物半導体膜を有する第１のトランジスタと、前記第１のトランジスタを介して第１のバリッドビットの値に従った量の電荷が供給される第１の記憶素子と、を有し、
前記第２のメモリセルは、第２の酸化物半導体膜を有する第２のトランジスタと、前記第２のトランジスタを介して第２のバリッドビットの値に従った量の電荷が供給される第２の記憶素子と、を有し、
電源電圧の供給が開始された後に、前記第１のトランジスタのゲートの電位と、前記第２のトランジスタのゲートの電位とを制御することで、前記第１のバリッドビットの値と前記第２のバリッドビットの値とを一括で無効とする機能を有し、
前記第１の酸化物半導体膜及び前記第２の酸化物半導体膜は、ｃ軸配向を有した結晶を含み、かつ、水素に起因するキャリア密度が１×１０１４／ｃｍ３未満である緩衝記憶装置。
【請求項２】
第１のメモリセルと、第２のメモリセルと、を有する緩衝記憶装置であって、
前記第１のメモリセルは、第１の酸化物半導体膜を有する第１のトランジスタと、前記第１のトランジスタを介して第１のバリッドビットの値に従った量の電荷が供給される第１の容量素子と、を有し、
前記第２のメモリセルは、第２の酸化物半導体膜を有する第２のトランジスタと、前記第２のトランジスタを介して第２のバリッドビットの値に従った量の電荷が供給される第２の容量素子と、を有し、
電源電圧の供給が開始された後に、前記第１のトランジスタのゲートの電位と、前記第２のトランジスタのゲートの電位とを制御することで、前記第１のバリッドビットの値と前記第２のバリッドビットの値とを一括で無効とする機能を有し、
前記第１の酸化物半導体膜及び前記第２の酸化物半導体膜は、ｃ軸配向を有した結晶を含み、かつ、水素に起因するキャリア密度が１×１０１４／ｃｍ３未満である緩衝記憶装置。
【請求項３】
第１のメモリセルと、第２のメモリセルと、を有する緩衝記憶装置であって、
前記第１のメモリセルは、第１の酸化物半導体膜を有する第１のトランジスタと、前記第１のトランジスタを介して第１のバリッドビットの値に従った量の電荷がゲートに供給される第３のトランジスタと、を有し、
前記第２のメモリセルは、第２の酸化物半導体膜を有する第２のトランジスタと、前記第２のトランジスタを介して第２のバリッドビットの値に従った量の電荷がゲートに供給される第４のトランジスタと、を有し、
電源電圧の供給が開始された後に、前記第１のトランジスタのゲートの電位と、前記第３のトランジスタのゲートの電位とを制御することで、前記第１のバリッドビットの値と前記第２のバリッドビットの値とを一括で無効とする機能を有し、
前記第１の酸化物半導体膜及び前記第２の酸化物半導体膜は、ｃ軸配向を有した結晶を含み、かつ、水素に起因するキャリア密度が１×１０１４／ｃｍ３未満である緩衝記憶装置。
【請求項４】
請求項１乃至請求項３のいずれか１項に記載の緩衝記憶装置と、制御装置と、演算装置と、を有し、
前記緩衝記憶装置は、主記憶装置から送られてきたデータ、或いは前記演算装置から送られてきたデータを、前記制御装置からの命令に従って記憶する機能を有する信号処理回路。
【発明の詳細な説明】
【技術分野】
【０００１】
本発明は、不揮発性の半導体記憶装置を用いた信号処理回路に関する。
【背景技術】
【０００２】
中央演算処理装置（ＣＰＵ：Ｃｅｎｔｒａｌ  Ｐｒｏｃｅｓｓｉｎｇ  Ｕｎｉｔ）などの信号処理回路は、その用途によって多種多様な構成を有しているが、一般的に、データや命令を記憶するための主記憶装置の他に、レジスタ、キャッシュなど、各種の半導体記憶装置（以下、単に記憶装置とする）が設けられている。キャッシュは、演算装置と主記憶装置の間に介在し、低速な主記憶装置へのアクセスを減らして演算処理を高速化させることを目的として、ＣＰＵに設けられている。
【０００３】
キャッシュなどの記憶装置は、主記憶装置よりも高速でデータの書き込みを行う必要がある。よって、通常は、レジスタとしてフリップフロップが、キャッシュとしてＳＲＡＭなどが用いられる。また、下記特許文献１には、キャッシュとして、ＳＲＡＭなどの揮発性メモリと、不揮発性メモリとを併用する構成について記載されている。
【先行技術文献】
【特許文献】
【０００４】
【特許文献１】特開平７−１２１４４４号公報
【発明の概要】
【発明が解決しようとする課題】
【０００５】
ところで、ＳＲＡＭは、ハイレベルの電源電位が与えられているノードと、ローレベルの電源電位が与えられているノードの間において、ｐチャネル型トランジスタとｎチャネル型トランジスタとが、直列に接続されている構成を有している。そして、ｐチャネル型トランジスタとｎチャネル型トランジスタは、一方がオンだと他方がオフになるように動作するため、ハイレベルの電源電位が与えられているノードと、ローレベルの電源電位が与えられているノードの間の電流は、理想的には、０になるはずである。しかし、実際には、オフのはずのトランジスタに僅かなオフ電流が流れるため、上記ノード間の電流は完全に０にはならない。よって、ＳＲＡＭは、データの書き込みが行われていない保持の状態でも、消費電力が発生する。
【０００６】
例えば、トランジスタのサイズにもよるが、直列に接続されたｐチャネル型トランジスタ及びｎチャネル型トランジスタを、バルクのシリコンを用いて作製した場合、室温下、ノード間の電圧が約３Ｖの状態にて、１ｐＡ程度のオフ電流が生じる。そして、通常のＳＲＡＭには、直列に接続されたｐチャネル型トランジスタ及びｎチャネル型トランジスタが２組設けられているので、２ｐＡ程度のオフ電流が生じる。そして、記憶素子数が約１０７個程度であるキャッシュの場合、オフ電流はキャッシュ全体で２０μＡとなる。そして、キャッシュが設けられたＩＣチップの温度が上昇すれば、消費電力はさらに大きくなり、キャッシュだけでオフ電流が数ｍＡに達する。
【０００７】
そこで、消費電力を抑えるため、データの入出力が行われない期間において、キャッシュへの電源電位の供給を一時的に停止するという一つの方法が提案されている。キャッシュには、電源電位の供給が途絶えるとデータを消失してしまう揮発性の記憶装置が用いられているため、その方法では、上記記憶装置の周辺に不揮発性の記憶装置を配置し、上記データをその不揮発性の記憶装置へ一時的に移している。しかし、これらの不揮発性の記憶装置は、主に磁気素子や強誘電体が用いられているため、作製工程が複雑である。
【０００８】
また、ＣＰＵにおいて長時間の電源停止を行う際には、電源停止の前に、キャッシュ内のデータをハードディスク、フラッシュメモリ等の外部記憶装置に移すことで、データの消失を防ぐこともできる。しかし、それらの外部記憶装置からデータをキャッシュに戻すのには時間を要する。よって、ハードディスク、フラッシュメモリ等の外部記憶装置によるデータのバックアップは、消費電力の低減を目的とした短時間の電源停止には適さない。
【０００９】
上述の課題に鑑み、本発明は、複雑な作製工程を必要とせず、消費電力を抑えることができる信号処理回路の提供を目的の一つとする。特に、短時間の電源停止により消費電力を抑えることができる信号処理回路の提供を目的の一つとする。
【課題を解決するための手段】
【００１０】
上記課題を解決するために、本発明の一態様に係る信号処理回路が有する記憶装置は、各メモリセルに、記憶素子と、上記記憶素子における電荷の供給、保持、放出を制御するためのスイッチング素子として機能するトランジスタとを有する。さらに、上記トランジスタは、シリコンよりもバンドギャップが広く、真性キャリア密度がシリコンよりも低い半導体を、チャネル形成領域に含んでいる。このような半導体としては、例えば、シリコンの２倍以上の大きなバンドギャップを有する、酸化物半導体、炭化シリコン、窒化ガリウムなどが挙げられる。上記半導体を有するトランジスタは、通常のシリコンやゲルマニウムなどの半導体で形成されたトランジスタに比べて、オフ電流を極めて低くすることができる。よって、上記構成を有するトランジスタを、記憶素子に流入した電荷を保持するためのスイッチング素子として用いることで、記憶素子からの電荷のリークを防ぐことができる。
【００１１】
また、本発明の一態様に係る信号処理回路は、上記記憶装置に加え、記憶装置とデータのやり取りを行う演算装置、制御装置などの各種論理回路を有しており、上記記憶装置は緩衝記憶装置として機能する。
【００１２】
記憶素子は、例えばトランジスタ、容量素子などを用いることができる。
【００１３】
なお、電子供与体（ドナー）となる水分又は水素などの不純物が低減され、なおかつ酸素欠損が低減されることで高純度化された酸化物半導体（ｐｕｒｉｆｉｅｄ  Ｏｘｉｄｅ  Ｓｅｍｉｃｏｎｄｕｃｔｏｒ）は、ｉ型（真性半導体）又はｉ型に限りなく近い。そのため、上記酸化物半導体を用いたトランジスタは、オフ電流が著しく低いという特性を有する。具体的に、高純度化された酸化物半導体は、二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）による水素濃度の測定値が、５×１０１８／ｃｍ３未満、より好ましくは５×１０１７／ｃｍ３以下、更に好ましくは１×１０１６／ｃｍ３以下とする。また、ホール効果測定により測定できる酸化物半導体膜のキャリア密度は、１×１０１４／ｃｍ３未満、好ましくは１×１０１２／ｃｍ３未満、更に好ましくは１×１０１１／ｃｍ３未満とする。また、酸化物半導体のバンドギャップは、２ｅＶ以上、好ましくは２．５ｅＶ以上、より好ましくは３ｅＶ以上である。水分又は水素などの不純物濃度が十分に低減されて高純度化された酸化物半導体膜を用いることにより、トランジスタのオフ電流を下げることができる。
【００１４】
ここで、酸化物半導体膜中の、水素濃度の分析について触れておく。半導体膜中の水素濃度測定は、ＳＩＭＳで行う。ＳＩＭＳは、その原理上、試料表面近傍や、材質が異なる膜との積層界面近傍のデータを正確に得ることが困難であることが知られている。そこで、膜中における水素濃度の厚さ方向の分布をＳＩＭＳで分析する場合、対象となる膜が存在する範囲において、値に極端な変動がなく、ほぼ一定の値が得られる領域における平均値を、水素濃度として採用する。また、測定の対象となる膜の厚さが小さい場合、隣接する膜内の水素濃度の影響を受けて、ほぼ一定の値が得られる領域を見いだせない場合がある。この場合、当該膜が存在する領域における、水素濃度の極大値又は極小値を、当該膜中の水素濃度として採用する。更に、当該膜が存在する領域において、極大値を有する山型のピーク、極小値を有する谷型のピークが存在しない場合、変曲点の値を水素濃度として採用する。
【００１５】
具体的に、高純度化された酸化物半導体膜を活性層として用いたトランジスタのオフ電流が低いことは、いろいろな実験により証明できる。例えば、チャネル幅が１×１０６μｍでチャネル長が１０μｍの素子であっても、ソース端子とドレイン端子間の電圧（ドレイン電圧）が１Ｖから１０Ｖの範囲において、オフ電流が、半導体パラメータアナライザの測定限界以下、すなわち１×１０−１３Ａ以下という特性を得ることができる。この場合、オフ電流をトランジスタのチャネル幅で除した数値に相当するオフ電流密度は、１００ｚＡ／μｍ以下であることが分かる。
【００１６】
なお、酸化物半導体としては、少なくともインジウム（Ｉｎ）あるいは亜鉛（Ｚｎ）を含むことが好ましい。特にＩｎとＺｎを含むことが好ましい。また、該酸化物を用いたトランジスタの電気的特性のばらつきを減らすためのスタビライザーとして、それらに加えてガリウム（Ｇａ）を有することが好ましい。また、スタビライザーとしてスズ（Ｓｎ）を有することが好ましい。また、スタビライザーとしてハフニウム（Ｈｆ）を有することが好ましい。また、スタビライザーとしてアルミニウム（Ａｌ）を有することが好ましい。
【００１７】
また、他のスタビライザーとして、ランタノイドである、ランタン（Ｌａ）、セリウム（Ｃｅ）、プラセオジム（Ｐｒ）、ネオジム（Ｎｄ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）のいずれか一種または複数種を含んでいてもよい。
【００１８】
例えば、酸化物半導体として、酸化インジウム、酸化スズ、酸化亜鉛、二元系金属の酸化物であるＩｎ−Ｚｎ系酸化物、Ｓｎ−Ｚｎ系酸化物、Ａｌ−Ｚｎ系酸化物、Ｚｎ−Ｍｇ系酸化物、Ｓｎ−Ｍｇ系酸化物、Ｉｎ−Ｍｇ系酸化物、Ｉｎ−Ｇａ系酸化物、三元系金属の酸化物であるＩｎ−Ｇａ−Ｚｎ系酸化物（ＩＧＺＯとも表記する）、Ｉｎ−Ａｌ−Ｚｎ系酸化物、Ｉｎ−Ｓｎ−Ｚｎ系酸化物、Ｓｎ−Ｇａ−Ｚｎ系酸化物、Ａｌ−Ｇａ−Ｚｎ系酸化物、Ｓｎ−Ａｌ−Ｚｎ系酸化物、Ｉｎ−Ｈｆ−Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ系酸化物、Ｉｎ−Ｌｕ−Ｚｎ系酸化物、四元系金属の酸化物であるＩｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系酸化物を用いることができる。また、上記酸化物半導体は、珪素を含んでいてもよい。
【００１９】
なお、例えば、Ｉｎ−Ｇａ−Ｚｎ系酸化物とは、ＩｎとＧａとＺｎを含む酸化物という意味であり、ＩｎとＧａとＺｎの比率は問わない。また、ＩｎとＧａとＺｎ以外の金属元素を含んでいてもよい。Ｉｎ−Ｇａ−Ｚｎ系酸化物は、無電界時の抵抗が十分に高くオフ電流を十分に小さくすることが可能であり、また、移動度も高いため、信号処理回路に用いる半導体材料としては好適である。
【発明の効果】
【００２０】
上記構成を有する記憶素子を、信号処理回路が有する緩衝記憶装置などの記憶装置に用いることで、電源停止による記憶装置内のデータの消失を防ぐことができる。よって、信号処理回路全体、もしくは信号処理回路を構成する一または複数の論理回路において、短い時間でも電源停止を行うことができるため、消費電力を抑えることができる信号処理回路、消費電力を抑えることができる当該信号処理回路の駆動方法を提供することができる。
【図面の簡単な説明】
【００２１】
【図１】信号処理回路のブロック図と、メモリセルの構成を示す図と、トランジスタの断面図。
【図２】メモリセルの回路図。
【図３】メモリセルの回路図。
【図４】セルアレイの回路図。
【図５】記憶装置の動作を示すタイミングチャート。
【図６】セルアレイの回路図。
【図７】記憶装置の構成を示すブロック図。
【図８】読み出し回路の構成を示す図。
【図９】信号処理回路の構成を示すブロック図。
【図１０】緩衝記憶装置の構造を示す図。
【図１１】記憶装置の作製方法を示す図。
【図１２】記憶装置の作製方法を示す図。
【図１３】記憶装置の作製方法を示す図。
【図１４】記憶装置の作製方法を示す図。
【図１５】記憶装置の断面図。
【図１６】トランジスタの断面図。
【図１７】電子機器の図。
【図１８】ＳＲＡＭとＤＲＡＭの構成を示す図。
【図１９】携帯電話のブロック図。
【図２０】メモリ回路のブロック図。
【図２１】携帯書籍のブロック図。
【図２２】記憶装置の断面図。
【図２３】記憶装置の断面図。
【発明を実施するための形態】
【００２２】
以下では、本発明の実施の形態について図面を用いて詳細に説明する。ただし、本発明は以下の説明に限定されず、本発明の趣旨及びその範囲から逸脱することなくその形態及び詳細を様々に変更し得ることは、当業者であれば容易に理解される。したがって、本発明は、以下に示す実施の形態の記載内容に限定して解釈されるものではない。
【００２３】
なお、マイクロプロセッサ、画像処理回路、ＤＳＰ（Ｄｉｇｉｔａｌ  Ｓｉｇｎａｌ  Ｐｒｏｃｅｓｓｏｒ）、マイクロコントローラを含むＬＳＩ（Ｌａｒｇｅ  Ｓｃａｌｅ  Ｉｎｔｅｇｒａｔｅｄ  Ｃｉｒｃｕｉｔ）などの集積回路が、本発明の信号処理回路の範疇に含まれる。
【００２４】
（実施の形態１）
本発明の一態様に係る信号処理回路は、制御装置と、一または複数の演算装置と、一または複数の緩衝記憶装置とを少なくとも有する。図１（Ａ）に、本発明の一態様に係る信号処理回路１００の一例を示す。図１（Ａ）に示す信号処理回路１００は、制御装置１０１、演算装置１０２、緩衝記憶装置１０３、主記憶装置１０４を有する。
【００２５】
制御装置１０１は、信号処理回路１００が有する演算装置１０２、緩衝記憶装置１０３、主記憶装置１０４の動作を統括的に制御する回路である。演算装置１０２は、論理演算、四則演算など各種の演算処理を行う論理回路である。そして、緩衝記憶装置１０３は、演算装置１０２における演算処理の際に、データを一時的に記憶する機能する。或いは、緩衝記憶装置１０３は、制御装置１０１が実行する命令を一時的に記憶する機能を有する。
【００２６】
また、主記憶装置１０４は、制御装置１０１が実行する命令を記憶する、或いは演算装置１０２から出力されたデータを記憶することができる。なお、図１（Ａ）では、主記憶装置１０４が信号処理回路１００の一部である構成を示しているが、主記憶装置１０４は信号処理回路１００の外部に設けられていても良い。
【００２７】
緩衝記憶装置１０３を、演算装置１０２と主記憶装置１０４の間に、或いは、制御装置１０１と主記憶装置１０４の間に設けることで、低速な主記憶装置１０４へのアクセスを減らして演算処理などの信号処理を高速化させることができる。
【００２８】
緩衝記憶装置１０３には、メモリセルが複数設けられており、各メモリセルは、記憶素子と、当該記憶素子における電荷の保持を制御するための、オフ電流またはリーク電流が極めて小さいトランジスタとを有する。
【００２９】
図１（Ｂ）に、緩衝記憶装置１０３が有するメモリセルの構成を、一例として回路図で示す。図１（Ｂ）に示す回路図では、メモリセル１０５が、記憶素子１０６と、スイッチング素子として機能するトランジスタ１０７とを有する。記憶素子１０６は、容量素子、トランジスタなどの半導体素子を用いることができる。そして、記憶素子１０６は、容量素子、或いは、トランジスタのゲート電極と活性層の間に形成されるゲート容量に、電荷を蓄積させることで、データを記憶する。
【００３０】
また、記憶素子１０６への電荷の供給と、当該記憶素子１０６からの電荷の放出と、当該記憶素子１０６における電荷の保持とは、スイッチング素子として機能するトランジスタ１０７により制御する。
【００３１】
なお、メモリセル１０５は、必要に応じて、トランジスタ、ダイオード、抵抗素子、インダクタンスなどのその他の回路素子を、さらに有していても良い。
【００３２】
本発明の一態様では、上記スイッチング素子として機能するトランジスタ１０７のチャネル形成領域に、シリコン半導体よりもバンドギャップが広く、真性キャリア密度がシリコンよりも低い半導体材料を含むことを特徴とする。上述したような特性を有する半導体材料をチャネル形成領域に含むことで、オフ電流またはリーク電流が極めて低いトランジスタ１０７を実現することができる。
【００３３】
データの保持期間の長さは、記憶素子１０６に蓄積されている電荷が上記トランジスタ１０７を介してリークする量に依存する。よって、上記構成を有するトランジスタ１０７を、記憶素子１０６に蓄積された電荷を保持するためのスイッチング素子として用いることで、記憶素子１０６からの電荷のリークを防ぐことができ、データの保持期間を長く確保することができる。
【００３４】
なお、特に断りがない限り、本明細書でオフ電流とは、ｎチャネル型トランジスタにおいては、ドレイン電極をソース電極とゲート電極よりも高い電位とした状態において、ソース電極の電位を基準としたときのゲート電極の電位が０以下であるときに、ソース電極とドレイン電極の間に流れる電流のことを意味する。或いは、本明細書でオフ電流とは、ｐチャネル型トランジスタにおいては、ドレイン電極をソース電極とゲート電極よりも低い電位とした状態において、ソース電極の電位を基準としたときのゲート電極の電位が０以上であるときに、ソース電極とドレイン電極の間に流れる電流のことを意味する。また、リーク電流とは、絶縁膜を通してソース電極あるいはドレイン電極とゲート電極との間に流れる電流のことを意味する。
【００３５】
シリコン半導体よりもバンドギャップが広く、真性キャリア密度がシリコンよりも低い半導体材料の一例として、炭化珪素（ＳｉＣ）、窒化ガリウム（ＧａＮ）などの化合物半導体、酸化亜鉛（ＺｎＯ）などの金属酸化物でなる酸化物半導体などを適用することができる。この中でも酸化物半導体は、スパッタリング法や湿式法により作製可能であり、量産性に優れるといった利点がある。また、炭化シリコンまたは窒化ガリウムとは異なり、酸化物半導体は室温でも成膜が可能なため、ガラス基板上への成膜、或いは半導体素子を用いた集積回路上への成膜が可能である。また、基板の大型化にも対応が可能である。よって、上述したワイドギャップ半導体の中でも、酸化物半導体は量産性が高いというメリットを特に有する。また、トランジスタの性能（例えば電界効果移動度）を向上させるために結晶性の酸化物半導体を得ようとする場合でも、２５０℃から８００℃の熱処理によって容易に結晶性の酸化物半導体を得ることができる。
【００３６】
以下の説明ではトランジスタ１０７の半導体膜として、上記のような利点を有する酸化物半導体を用いる場合を例に挙げている。
【００３７】
また、図１（Ｂ）では、トランジスタ１０７がゲート電極を活性層の片側にのみ有している場合を示している。トランジスタ１０７が、活性層を間に挟んで存在する一対のゲート電極を有している場合、一方のゲート電極にはスイッチングを制御するための信号が与えられ、他方のゲート電極は、電気的に絶縁しているフローティングの状態であっても良いし、電位が他から与えられている状態であっても良い。後者の場合、一対の電極に、同じ高さの電位が与えられていても良いし、他方のゲート電極にのみ接地電位などの固定電位が与えられていても良い。他方のゲート電極に与える電位の高さを制御することで、トランジスタ１０７の閾値電圧を制御することができる。
【００３８】
また、図１（Ｂ）では、メモリセル１０５がスイッチング素子として機能するトランジスタ１０７を一つだけ有する構成を示しているが、本発明はこの構成に限定されない。本発明の一態様では、スイッチング素子として機能するトランジスタが各メモリセルに最低限１つ設けられていれば良く、上記トランジスタの数は複数であっても良い。メモリセル１０５がスイッチング素子として機能するトランジスタを複数有している場合、上記複数のトランジスタは並列に接続されていても良いし、直列に接続されていても良いし、直列と並列が組み合わされて接続されていても良い。
【００３９】
なお、本明細書において、トランジスタが直列に接続されている状態とは、例えば、第１のトランジスタの第１端子と第２端子のいずれか一方のみが、第２のトランジスタの第１端子と第２端子のいずれか一方のみに接続されている状態を意味する。また、トランジスタが並列に接続されている状態とは、第１のトランジスタの第１端子が第２のトランジスタの第１端子に接続され、第１のトランジスタの第２端子が第２のトランジスタの第２端子に接続されている状態を意味する。
【００４０】
次いで、図１（Ｃ）に、図１（Ｂ）に示したトランジスタ１０７の、断面図の一例を示す。
【００４１】
図１（Ｃ）において、トランジスタ１０７は、絶縁表面を有する基板１１０上に、ゲート電極１１１と、ゲート電極１１１上の絶縁膜１１２と、絶縁膜１１２を間に挟んでゲート電極１１１と重なる、活性層として機能する酸化物半導体膜１１３と、酸化物半導体膜１１３上のソース電極１１４及びドレイン電極１１５とを有している。図１（Ｃ）では、酸化物半導体膜１１３、ソース電極１１４及びドレイン電極１１５上に、絶縁膜１１６が形成されている。トランジスタ１０７は絶縁膜１１６をその構成要素に含んでいても良い。
【００４２】
なお、図１（Ｃ）では、トランジスタ１０７がシングルゲート構造である場合を例示しているが、トランジスタ１０７は、電気的に接続された複数のゲート電極を有することで、チャネル形成領域を複数有する、マルチゲート構造であっても良い。
【００４３】
上述したメモリセルを有する緩衝記憶装置１０３は、緩衝記憶装置１０３への電源電圧の供給を停止しても、データを保持することができる。よって、信号処理回路１００全体への電源電圧の供給を停止し、消費電力を抑えることができる。或いは、緩衝記憶装置１０３への電源電圧の供給を停止し、消費電力を抑えることができる。
【００４４】
また、緩衝記憶装置１０３への電源電圧の供給が停止されるのに合わせて、当該緩衝記憶装置１０３とデータのやり取りを行う制御装置１０１または演算装置１０２への、電源電圧の供給を停止するようにしても良い。例えば、演算装置１０２と緩衝記憶装置１０３において、動作が行われない場合、演算装置１０２及び緩衝記憶装置１０３への電源電圧の供給を停止するようにしても良い。
【００４５】
次いで、図２及び図３に、メモリセル１０５の具体的な構成例を示す。
【００４６】
なお、本明細書において接続とは電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。
【００４７】
また、回路図上は独立している構成要素どうしが接続されている場合であっても、実際には、例えば配線の一部が電極としても機能する場合など、一の導電膜が、複数の構成要素の機能を併せ持っている場合もある。本明細書において接続とは、このような、一の導電膜が、複数の構成要素の機能を併せ持っている場合も、その範疇に含める。
【００４８】
また、トランジスタが有するソース電極とドレイン電極は、トランジスタの極性及び各電極に与えられる電位の高低によって、その呼び方が入れ替わる。一般的に、ｎチャネル型トランジスタでは、低い電位が与えられる電極がソース電極と呼ばれ、高い電位が与えられる電極がドレイン電極と呼ばれる。また、ｐチャネル型トランジスタでは、低い電位が与えられる電極がドレイン電極と呼ばれ、高い電位が与えられる電極がソース電極と呼ばれる。以下、ソース電極とドレイン電極のいずれか一方を第１端子、他方を第２端子と称する。
【００４９】
図２（Ａ）に示すメモリセル１０５は、スイッチング素子として機能するトランジスタ１０７と、記憶素子として機能する容量素子１２０とを有する。トランジスタ１０７のゲート電極は、ワード線ＷＬに接続されている。また、トランジスタ１０７は、その第１端子がデータ線ＤＬに接続されており、その第２端子が容量素子１２０の一方の電極に接続されている。容量素子１２０の他方の電極は、接地電位などの固定電位が与えられているノードに、接続されている。
【００５０】
図２（Ａ）に示すメモリセル１０５では、データの書き込み時にトランジスタ１０７がオンになり、データ線ＤＬからデータを含む信号の電位が、トランジスタ１０７を介して容量素子１２０の一方の電極に与えられる。そして、上記信号の電位に従って、容量素子１２０に蓄積されている電荷量が制御されることで、容量素子１２０へのデータの書き込みが行われる。
【００５１】
次いで、データの保持時には、トランジスタ１０７がオフになり、容量素子１２０において電荷が保持される。上述したように、トランジスタ１０７はオフ電流またはリーク電流が極めて低いという特性を有している。そのため、容量素子１２０に蓄積された電荷はリークしづらく、トランジスタ１０７にシリコンなどの半導体材料を用いた場合に比べ、長い期間に渡ってデータの保持を行うことができる。
【００５２】
データの読み出し時には、トランジスタ１０７がオンになり、データ線ＤＬを介して容量素子１２０に蓄積された電荷が取り出される。そして、上記電荷量の違いを読み取ることにより、データを読み出すことができる。
【００５３】
図２（Ｂ）に示すメモリセル１０５は、スイッチング素子として機能するトランジスタ１０７と、記憶素子として機能するトランジスタ１２１及び容量素子１２２とを有する。トランジスタ１０７のゲート電極は、第１ワード線ＷＬａに接続されている。また、トランジスタ１０７は、その第１端子が第１データ線ＤＬａに接続されており、その第２端子がトランジスタ１２１のゲート電極に接続されている。トランジスタ１２１は、その第１端子が、第２データ線ＤＬｂに接続されており、その第２端子が、所定の電位が与えられているノードに接続されている。容量素子１２２が有する一対の電極は、一方がトランジスタ１２１のゲート電極に接続され、他方が第２ワード線ＷＬｂに接続されている。
【００５４】
図２（Ｂ）に示すメモリセル１０５では、データの書き込み時にトランジスタ１０７がオンになり、第１データ線ＤＬａからデータを含む信号の電位が、トランジスタ１０７を介してトランジスタ１２１のゲート電極に与えられる。そして、上記信号の電位に従って、トランジスタ１２１のゲート容量、及び容量素子１２２に蓄積される電荷量が制御されることで、トランジスタ１２１及び容量素子１２２へのデータの書き込みが行われる。
【００５５】
次いで、データの保持時には、トランジスタ１０７がオフになり、トランジスタ１２１のゲート容量、及び容量素子１２２に蓄積された電荷が保持される。上述したように、トランジスタ１０７はオフ電流またはリーク電流が極めて低いという特性を有している。そのため、蓄積された上記電荷はリークしづらく、トランジスタ１０７にシリコンなどの半導体材料を用いた場合に比べ、長い期間に渡ってデータの保持を行うことができる。
【００５６】
データの読み出し時には、第２ワード線ＷＬｂの電位を変化させる。容量素子１２２が有する一対の電極の電位差は、電荷保存則により維持されたままなので、第２ワード線ＷＬｂの電位の変化は、トランジスタ１２１のゲート電極に与えられる。トランジスタ１２１は、そのゲート容量に蓄積されている電荷量によって閾値電圧が変化している。よって、トランジスタ１２１のゲート電極の電位が変化することで得られるトランジスタ１２１のドレイン電流の大きさから、蓄積されている電荷量の違いを読み取ることにより、データを読み出すことができる。
【００５７】
なお、記憶素子として機能するトランジスタ１２１は、その活性層に、酸化物半導体膜が用いられていても良い。或いは、トランジスタ１２１の活性層に、酸化物半導体以外の、非晶質、微結晶、多結晶、または単結晶の、シリコン、またはゲルマニウムなどの半導体が用いられていても良い。メモリセル１０５内の全てのトランジスタの活性層に、酸化物半導体膜を用いることで、プロセスを簡略化することができる。また、記憶素子として機能するトランジスタ１２１の活性層に、例えば、多結晶または単結晶のシリコンなどのように、酸化物半導体よりも高い移動度が得られる半導体材料を用いることで、メモリセル１０５からのデータの読み出しを高速で行うことができる。
【００５８】
図２（Ｃ）に示すメモリセル１０５は、一つのデータ線ＤＬが、第１データ線ＤＬａと第２データ線ＤＬｂの機能を併せ持っている点において、図２（Ｂ）に示すメモリセル１０５と異なっている。具体的に、図２（Ｃ）に示すメモリセル１０５は、スイッチング素子として機能するトランジスタ１０７と、記憶素子として機能するトランジスタ１２３及び容量素子１２４とを有する。トランジスタ１０７のゲート電極は、第１ワード線ＷＬａに接続されている。また、トランジスタ１０７は、その第１端子がデータ線ＤＬに接続されており、その第２端子がトランジスタ１２３のゲート電極に接続されている。トランジスタ１２３は、その第１端子がデータ線ＤＬに接続されており、その第２端子が、所定の電位が与えられているノードに接続されている。容量素子１２４が有する一対の電極は、一方がトランジスタ１２３のゲート電極に接続され、他方が第２ワード線ＷＬｂに接続されている。
【００５９】
図２（Ｃ）に示すメモリセル１０５は、データの書き込み、保持、読み出しなどの動作は、図２（Ｂ）に示すメモリセル１０５と同様に行うことができる。
【００６０】
また、記憶素子として機能するトランジスタ１２３は、その活性層に、酸化物半導体膜が用いられていても良い。或いは、トランジスタ１２３の活性層に、酸化物半導体以外の、非晶質、微結晶、多結晶、または単結晶の、シリコン、またはゲルマニウムなどの半導体が用いられていても良い。メモリセル１０５内の全てのトランジスタの活性層に、酸化物半導体膜を用いることで、プロセスを簡略化することができる。また、記憶素子として機能するトランジスタ１２３の活性層に、例えば、多結晶または単結晶のシリコンなどのように、酸化物半導体よりも高い移動度が得られる半導体材料を用いることで、メモリセル１０５からのデータの読み出しを高速で行うことができる。
【００６１】
図３（Ａ）に示すメモリセル１０５は、スイッチング素子として機能するトランジスタ１０７と、記憶素子として機能するトランジスタ１２５とを有する。トランジスタ１２５は、活性層を間に挟んで存在する一対のゲート電極を有している。上記一対のゲート電極の一方を第１ゲート電極、他方を第２ゲート電極とする。
【００６２】
トランジスタ１０７のゲート電極は、第１ワード線ＷＬａに接続されている。また、トランジスタ１０７は、その第１端子が第１データ線ＤＬａに接続されており、その第２端子がトランジスタ１２５の第１ゲート電極に接続されている。トランジスタ１２５の第２ゲート電極は、第２ワード線ＷＬｂに接続されている。また、トランジスタ１２５は、その第１端子が、第２データ線ＤＬｂに接続されており、その第２端子が、所定の電位が与えられているノードに接続されている。
【００６３】
図３（Ａ）に示すメモリセル１０５では、データの書き込み時にトランジスタ１０７がオンになり、第１データ線ＤＬａからデータを含む信号の電位が、トランジスタ１０７を介してトランジスタ１２５の第１ゲート電極に与えられる。そして、上記信号の電位に従って、トランジスタ１２５のゲート容量に蓄積される電荷量が制御されることで、トランジスタ１２５へのデータの書き込みが行われる。
【００６４】
次いで、データの保持時には、トランジスタ１０７がオフになり、トランジスタ１２５のゲート容量に蓄積された電荷が保持される。上述したように、トランジスタ１０７はオフ電流またはリーク電流が極めて低いという特性を有している。そのため、蓄積された上記電荷はリークしづらく、トランジスタ１０７にシリコンなどの半導体材料を用いた場合に比べ、長い期間に渡ってデータの保持を行うことができる。
【００６５】
データの読み出し時には、第２ワード線ＷＬｂの電位を変化させることで、トランジスタ１２５の第２ゲート電極の電位を変化させる。トランジスタ１２５は、そのゲート容量に蓄積されている電荷量によって閾値電圧が変化している。よって、トランジスタ１２５の第２ゲート電極の電位を変化させることで得られるトランジスタ１２５のドレイン電流の大きさから、蓄積されている電荷量の違いを読み取り、結果的に、データを読み出すことができる。
【００６６】
なお、記憶素子として機能するトランジスタ１２５は、その活性層に、酸化物半導体膜が用いられていても良い。或いは、トランジスタ１２５の活性層に、酸化物半導体以外の、非晶質、微結晶、多結晶、または単結晶の、シリコン、またはゲルマニウムなどの半導体が用いられていても良い。メモリセル１０５内の全てのトランジスタの活性層に、酸化物半導体膜を用いることで、プロセスを簡略化することができる。また、記憶素子として機能するトランジスタ１２５の活性層に、例えば、多結晶または単結晶のシリコンなどのように、酸化物半導体よりも高い移動度が得られる半導体材料を用いることで、メモリセル１０５からのデータの読み出しを高速で行うことができる。
【００６７】
図３（Ｂ）に示すメモリセル１０５は、スイッチング素子として機能するトランジスタ１０７と、記憶素子として機能するトランジスタ１２６と、データの読み出しを制御するスイッチング素子として機能するトランジスタ１２７とを有する。トランジスタ１０７のゲート電極は、第１ワード線ＷＬａに接続されている。また、トランジスタ１０７は、その第１端子が第１データ線ＤＬａに接続されており、その第２端子がトランジスタ１２６のゲート電極に接続されている。トランジスタ１２６は、その第１端子がトランジスタ１２７の第２端子に接続されており、その第２端子が、所定の電位が与えられているノードに接続されている。トランジスタ１２７が有する第１端子は、第２データ線ＤＬｂに接続されている。トランジスタ１２７のゲート電極は、第２ワード線ＷＬｂに接続されている。
【００６８】
図３（Ｂ）に示すメモリセル１０５では、データの書き込み時にトランジスタ１０７がオンになり、第１データ線ＤＬａからデータを含む信号の電位が、トランジスタ１０７を介してトランジスタ１２６のゲート電極に与えられる。そして、上記信号の電位に従って、トランジスタ１２６のゲート容量に蓄積される電荷量が制御されることで、トランジスタ１２６へのデータの書き込みが行われる。
【００６９】
次いで、データの保持時には、トランジスタ１０７がオフになり、トランジスタ１２６のゲート容量に蓄積された電荷が保持される。上述したように、トランジスタ１０７はオフ電流またはリーク電流が極めて低いという特性を有している。そのため、蓄積された上記電荷はリークしづらく、シリコンなどの半導体材料を用いた場合に比べ、長い期間に渡ってデータの保持を行うことができる。
【００７０】
データの読み出し時には、第２ワード線ＷＬｂの電位が変化することでトランジスタ１２７がオンになる。トランジスタ１２７がオンになると、トランジスタ１２６には、そのゲート容量に蓄積されている電荷量に見合った高さのドレイン電流が流れる。よって、トランジスタ１２６のドレイン電流の大きさから、蓄積されている電荷量の違いを読み取ることにより、データを読み出すことができる。
【００７１】
なお、トランジスタ１２６またはトランジスタ１２７は、その活性層に、酸化物半導体膜が用いられていても良い。或いは、トランジスタ１２６またはトランジスタ１２７の活性層に、酸化物半導体以外の、非晶質、微結晶、多結晶、または単結晶の、シリコン、またはゲルマニウムなどの半導体が用いられていても良い。メモリセル１０５内の全てのトランジスタの活性層に、酸化物半導体膜を用いることで、プロセスを簡略化することができる。また、トランジスタ１２６またはトランジスタ１２７の活性層に、例えば、多結晶または単結晶のシリコンなどのように、酸化物半導体よりも高い移動度が得られる半導体材料を用いることで、メモリセル１０５からのデータの読み出しを高速で行うことができる。
【００７２】
図３（Ｃ）に示すメモリセル１０５は、一つのワード線ＷＬが、第１ワード線ＷＬａと第２ワード線ＷＬｂの機能を併せ持っている点において、図３（Ｂ）に示すメモリセル１０５と異なっている。具体的に、図３（Ｃ）に示すメモリセル１０５は、スイッチング素子として機能するトランジスタ１０７と、記憶素子として機能するトランジスタ１２８と、データの読み出しを制御するスイッチング素子として機能するトランジスタ１２９とを有する。トランジスタ１２９はトランジスタ１２８と極性が異なる。そして、トランジスタ１０７のゲート電極は、ワード線ＷＬに接続されている。また、トランジスタ１０７は、その第１端子が第１データ線ＤＬａに接続されており、その第２端子がトランジスタ１２８のゲート電極に接続されている。トランジスタ１２８は、その第１端子がトランジスタ１２９の第２端子に接続されており、その第２端子が、所定の電位が与えられているノードに接続されている。トランジスタ１２９の第１端子は、第２データ線ＤＬｂに接続されている。トランジスタ１２９のゲート電極は、ワード線ＷＬに接続されている。
【００７３】
図３（Ｃ）に示すメモリセル１０５は、データの書き込み、保持、読み出しなどの動作は、図３（Ｂ）に示すメモリセル１０５と同様に行うことができる。
【００７４】
なお、トランジスタ１２８は、その活性層に、酸化物半導体膜が用いられていても良い。或いは、トランジスタ１２８の活性層に、酸化物半導体以外の、非晶質、微結晶、多結晶、または単結晶の、シリコン、またはゲルマニウムなどの半導体が用いられていても良い。また、トランジスタ１２８の活性層に、例えば、多結晶または単結晶のシリコンなどのように、酸化物半導体よりも高い移動度が得られる半導体材料を用いることで、メモリセル１０５からのデータの読み出しを高速で行うことができる。
【００７５】
図３（Ｄ）に示すメモリセル１０５は、スイッチング素子として機能するトランジスタ１０７と、記憶素子として機能するトランジスタ１３０と、データの読み出しを制御するダイオード１３１とを有する。トランジスタ１０７のゲート電極は、ワード線ＷＬに接続されている。また、トランジスタ１０７は、その第１端子が第１データ線ＤＬａに接続されており、その第２端子がトランジスタ１３０のゲート電極に接続されている。トランジスタ１３０は、その第１端子がダイオード１３１の陰極に接続されており、その第２端子が、所定の電位が与えられているノードに接続されている。ダイオード１３１は、その陽極が第２データ線ＤＬｂに接続されている。
【００７６】
図３（Ｄ）に示すメモリセル１０５では、データの書き込み時にトランジスタ１０７がオンになり、第１データ線ＤＬａからデータを含む信号の電位が、トランジスタ１０７を介してトランジスタ１３０のゲート電極に与えられる。そして、上記信号の電位に従って、トランジスタ１３０のゲート容量に蓄積される電荷量が制御されることで、トランジスタ１３０へのデータの書き込みが行われる。なお、データの書き込み時では、第２データ線ＤＬｂの電位を、所定の電位と同じか、それより低く保つ。
【００７７】
次いで、データの保持時には、トランジスタ１０７がオフになる。また、データの保持時においても、第２データ線ＤＬｂの電位を、所定の電位と同じか、それより低く保つ。よって、トランジスタ１３０のゲート容量に蓄積された電荷が保持される。上述したように、トランジスタ１０７はオフ電流またはリーク電流が極めて低いという特性を有している。そのため、蓄積された上記電荷はリークしづらく、トランジスタ１０７にシリコンなどの半導体材料を用いた場合に比べ、長い期間に渡ってデータの保持を行うことができる。
【００７８】
データの読み出し時には、第２データ線ＤＬｂの電位を所定の電位よりも高くする。トランジスタ１３０は、そのゲート容量に蓄積されている電荷量によって閾値電圧が変化している。よって、トランジスタ１３０のゲート電極の電位が変化することで得られるトランジスタ１３０のドレイン電流の大きさから、蓄積されている電荷量の違いを読み取ることにより、データを読み出すことができる。
【００７９】
なお、記憶素子として機能するトランジスタ１３０は、その活性層に、酸化物半導体膜が用いられていても良い。或いは、トランジスタ１３０の活性層に、酸化物半導体以外の、非晶質、微結晶、多結晶、または単結晶の、シリコン、またはゲルマニウムなどの半導体が用いられていても良い。メモリセル１０５内の全てのトランジスタの活性層に、酸化物半導体膜を用いることで、プロセスを簡略化することができる。また、記憶素子として機能するトランジスタ１３０の活性層に、例えば、多結晶または単結晶のシリコンなどのように、酸化物半導体よりも高い移動度が得られる半導体材料を用いることで、メモリセル１０５からのデータの読み出しを高速で行うことができる。
【００８０】
次いで、複数のメモリセルを有する記憶装置の構成と、その駆動方法の一例について説明する。
【００８１】
図４は、図２（Ｃ）に示したメモリセル１０５を複数有するセルアレイ２００の、回路図の一例である。ただし、図４では、図２（Ｃ）とは異なり、トランジスタ１２３がｐチャネル型である場合の回路図を例示している。
【００８２】
図４に示すセルアレイ２００では、複数の第１ワード線ＷＬａ、複数のデータ線ＤＬ、複数の第２ワード線ＷＬｂ、複数のソース線ＳＬなどの各種配線が設けられており、駆動回路からの信号又は電位が、これら配線を介して各メモリセル１０５に供給される。ソース線ＳＬは、トランジスタ１２３の第２端子に接続されている。
【００８３】
なお、上記配線の数は、メモリセル１０５の数及び配置によって決めることができる。具体的に、図４に示すセルアレイ２００の場合、ｙ行×ｘ列のメモリセル１０５がマトリクス状に接続されており、第１ワード線ＷＬａ１〜ＷＬａｙ、第２ワード線ＷＬｂ１〜ＷＬｂｙ、ソース線ＳＬ１〜ＳＬｙ、データ線ＤＬ１〜ＤＬｘが、セルアレイ２００内に配置されている場合を例示している。
【００８４】
次いで、図４に示すセルアレイ２００の動作について、図５のタイミングチャートを用いて説明する。なお、図５では、１行１列目のメモリセル１０５と、１行ｘ列目のメモリセル１０５と、ｙ行１列目のメモリセル１０５と、ｙ行ｘ列目のメモリセル１０５とにおいて、データの書き込み、保持、読み出しを行う場合を例に挙げている。また、図５では、トランジスタ１２３がｐチャネル型トランジスタである場合を例示している。
【００８５】
また、図５のタイミングチャート中の斜線部は、電位がハイレベルとローレベルのどちらでも良い期間を意味する。
【００８６】
まず、データの書き込み期間Ｔａにおけるセルアレイ２００の動作について説明する。
【００８７】
データの書き込みは行ごとに行われる。図５では、１行１列目のメモリセル１０５及び１行ｘ列目のメモリセル１０５へのデータの書き込みを先に行い、その後で、ｙ行１列目のメモリセル１０５及びｙ行ｘ列目のメモリセル１０５へのデータの書き込みを行う場合を例示している。
【００８８】
まず、書き込みを行う１行目のメモリセル１０５が有する、第１ワード線ＷＬａ１及び第２ワード線ＷＬｂ１の選択を行う。具体的に図５では、第１ワード線ＷＬａ１にハイレベルの電位ＶＨが与えられ、それ以外の第１ワード線ＷＬａ２〜ＷＬａｙには接地電位ＧＮＤが与えられる。よって、第１ワード線ＷＬａ１にゲート電極が接続されているトランジスタ１０７のみが、選択的にオンになる。また、第２ワード線ＷＬｂ１には接地電位ＧＮＤが与えられ、他の第２ワード線ＷＬｂ２〜ＷＬｂｙにはハイレベルの電位ＶＤＤが与えられる。
【００８９】
そして、第１ワード線ＷＬａ１及び第２ワード線ＷＬｂ１が選択されている期間において、データ線ＤＬ１、ＤＬｘに、データを含む信号の電位が与えられる。データ線ＤＬ１、ＤＬｘに与えられる電位のレベルは、データの内容によって当然異なる。図５では、データ線ＤＬ１にハイレベルの電位ＶＤＤが与えられ、データ線ＤＬｘに接地電位ＧＮＤが与えられている場合を例示する。データ線ＤＬ１、ＤＬｘに与えられる電位は、オンのトランジスタ１０７を介して、容量素子１２４が有する電極の一つと、トランジスタ１２３のゲート電極に与えられる。そして、容量素子１２４が有する電極の一つと、トランジスタ１２３のゲート電極をノードＦＧとすると、上記信号の電位に従って、ノードＦＧに蓄積される電荷量が制御されることで、１行１列目のメモリセル１０５と、１行ｘ列目のメモリセル１０５へのデータの書き込みが行われる。
【００９０】
次いで、第１ワード線ＷＬａ１に接地電位ＧＮＤが与えられ、第１ワード線ＷＬａ１にゲート電極が接続されているトランジスタ１０７が、オフになる。
【００９１】
次いで、書き込みを行うｙ行目のメモリセル１０５が有する、第１ワード線ＷＬａｙ及び第２ワード線ＷＬｂｙの選択を行う。具体的に図５では、第１ワード線ＷＬａｙにハイレベルの電位ＶＨが与えられ、それ以外の第１ワード線ＷＬａ１〜ＷＬａ（ｙ−１）には接地電位ＧＮＤが与えられる。よって、第１ワード線ＷＬａｙにゲート電極が接続されているトランジスタ１０７のみが、選択的にオンになる。また、第２ワード線ＷＬｂｙには接地電位ＧＮＤが与えられ、他の第２ワード線ＷＬｂ１〜ＷＬｂ（ｙ−１）にはハイレベルの電位ＶＤＤが与えられる。
【００９２】
そして、第１ワード線ＷＬａｙ及び第２ワード線ＷＬｂｙが選択されている期間において、データ線ＤＬ１、ＤＬｘに、データを含む信号の電位が与えられる。図５では、データ線ＤＬ１に接地電位ＧＮＤが与えられ、データ線ＤＬｘにハイレベルの電位ＶＤＤが与えられている場合を例示する。データ線ＤＬ１、ＤＬｘに与えられる電位は、オンのトランジスタ１０７を介して、容量素子１２４が有する電極の一つと、トランジスタ１２３のゲート電極に与えられる。そして、上記信号の電位に従って、ノードＦＧに蓄積される電荷量が制御されることで、ｙ行１列目のメモリセル１０５と、ｙ行ｘ列目のメモリセル１０５へのデータの書き込みが行われる。
【００９３】
なお、書き込み期間Ｔａでは、全てのソース線ＳＬに接地電位ＧＮＤが与えられている。上記構成により、ノードＦＧに接地電位ＧＮＤが与えられる場合において、データ線ＤＬとソース線ＳＬに電流が生じることを抑制することができる。
【００９４】
また、メモリセル１０５に誤ったデータが書き込まれるのを防ぐために、第１ワード線ＷＬａ及び第２ワード線ＷＬｂの選択期間が終了した後に、データ線ＤＬにデータを含む信号の電位を入力する期間を終了させるようにすることが望ましい。
【００９５】
次いで、データの保持期間Ｔｓにおけるセルアレイ２００の動作について説明する。
【００９６】
保持期間Ｔｓにおいて、全ての第１ワード線ＷＬａには、トランジスタ１０７がオフになるレベルの電位、具体的には接地電位ＧＮＤが与えられる。本発明の一態様では、上述したように、トランジスタ１０７のオフ電流が著しく低い。トランジスタ１０７のオフ電流が低いと、ノードＦＧに蓄積された電荷はリークしづらくなるため、長い期間に渡ってデータの保持を行うことができる。
【００９７】
次いで、データの読み出し期間Ｔｒにおけるセルアレイ２００の動作について説明する。
【００９８】
まず、読み出しを行う１行目のメモリセル１０５が有する、第２ワード線ＷＬｂ１の選択を行う。具体的に図５では、第２ワード線ＷＬｂ１に接地電位ＧＮＤが与えられ、他の第２ワード線ＷＬｂ２〜ＷＬｂｙにハイレベルの電位ＶＤＤが与えられる。また、読み出し期間Ｔｒでは、全ての第１ワード線ＷＬａは、接地電位ＧＮＤが与えられることで非選択の状態になっている。そして、第２ワード線ＷＬｂ１の選択が行われている期間において、全てのソース線ＳＬにはハイレベルの電位ＶＲが与えられる。なお、電位ＶＲは、電位ＶＤＤと同じか、もしくは電位ＶＤＤより低く接地電位ＧＮＤよりも高い電位であるものとする。
【００９９】
トランジスタ１２３のソース電極とドレイン電極間の抵抗は、ノードＦＧに蓄積された電荷量に依存する。よって、データ線ＤＬ１、ＤＬｘには、ノードＦＧに蓄積された電荷量に応じた電位が与えられる。そして、上記電位から電荷量の違いを読み取ることにより、１行１列目のメモリセル１０５と、１行ｘ列目のメモリセル１０５から、データを読み出すことができる。
【０１００】
次いで、読み出しを行うｙ行目のメモリセル１０５が有する、第２ワード線ＷＬｂｙの選択を行う。具体的に図５では、第２ワード線ＷＬｂｙに接地電位ＧＮＤが与えられ、他の第２ワード線ＷＬｂ１〜ＷＬｂ（ｙ−１）にハイレベルの電位ＶＤＤが与えられる。また、上述したように、読み出し期間Ｔｒでは、全ての第１ワード線ＷＬａは、接地電位ＧＮＤが与えられることで非選択の状態になっている。また、第２ワード線ＷＬｂｙの選択が行われている期間において、全てのソース線ＳＬにはハイレベルの電位ＶＲが与えられる。
【０１０１】
トランジスタ１２３のソース電極とドレイン電極間の抵抗は、ノードＦＧに蓄積された電荷量に依存する。よって、データ線ＤＬ１、ＤＬｘには、ノードＦＧに蓄積された電荷量に応じた電位が与えられる。そして、上記電位から電荷量の違いを読み取ることにより、ｙ行１列目のメモリセル１０５と、ｙ行ｘ列目のメモリセル１０５から、データを読み出すことができる。
【０１０２】
なお、各データ線ＤＬの先には読み出し回路が接続されており、読み出し回路の出力信号が、セルアレイ２００から実際に読み出されたデータを含んでいる。
【０１０３】
次いで、複数のメモリセルを有する記憶装置の構成と、その駆動方法の別の一例について説明する。
【０１０４】
図６は、図２（Ａ）に示したメモリセル１０５を複数有するセルアレイ３００の、回路図の一例である。
【０１０５】
図６に示すセルアレイ３００では、複数のワード線ＷＬ、複数のデータ線ＤＬ、複数のソース線ＳＬなどの各種配線が設けられており、駆動回路からの信号又は電位が、これら配線を介して各メモリセル１０５に供給される。ソース線ＳＬは、容量素子１２０の他方の電極に接続されており、接地電位が与えられている。
【０１０６】
なお、上記配線の数は、メモリセル１０５の数及び配置によって決めることができる。具体的に、図６に示すセルアレイ３００の場合、ｙ行×ｘ列のメモリセルがマトリクス状に接続されており、ワード線ＷＬ１〜ＷＬｙ、データ線ＤＬ１〜ＤＬｘ、ソース線ＳＬ１〜ＳＬｙが、セルアレイ３００内に配置されている場合を例示している。
【０１０７】
次いで、図６に示すセルアレイ３００の動作について説明する。
【０１０８】
まず、データの書き込み期間におけるセルアレイ３００の動作について説明する。書き込み期間において、ワード線ＷＬ１にパルスを有する信号が入力されると、当該パルスの電位、具体的にはハイレベルの電位が、ワード線ＷＬ１に接続されているトランジスタ１０７のゲート電極に与えられる。よって、ワード線ＷＬ１にゲート電極が接続されているトランジスタ１０７は、全てオンになる。
【０１０９】
次いで、データ線ＤＬ１〜ＤＬｘに、データを含む信号が入力される。データ線ＤＬ１〜ＤＬｘに入力される信号の電位のレベルは、データの内容によって当然異なる。データ線ＤＬ１〜ＤＬｘに入力されている電位は、オンのトランジスタ１０７を介して、容量素子１２０の一方の電極に与えられる。そして、上記信号の電位に従って、容量素子１２０に蓄積されている電荷量が制御されることで、容量素子１２０へのデータの書き込みが行われる。
【０１１０】
ワード線ＷＬ１への、パルスを有する信号の入力が終了すると、ワード線ＷＬ１にゲート電極が接続されているトランジスタ１０７が、全てオフになる。そして、ワード線ＷＬ２〜ＷＬｙに、パルスを有する信号が順に入力され、ワード線ＷＬ２〜ＷＬｙを有するメモリセル１０５において、上述した動作が同様に繰り返される。
【０１１１】
次いで、データの保持期間におけるセルアレイ３００の動作について説明する。保持期間において、全てのワード線ＷＬ１〜ＷＬｙには、トランジスタ１０７がオフになるレベルの電位、具体的にはローレベルの電位が与えられる。本発明の一態様では、上述したように、トランジスタ１０７のオフ電流が著しく低い。トランジスタ１０７のオフ電流が低いと、容量素子１２０に蓄積された電荷はリークしづらくなるため、長い期間に渡ってデータの保持を行うことができる。
【０１１２】
次いで、データの読み出し期間におけるセルアレイ３００の動作について説明する。データの読み出し期間には、書き込み期間と同様に、ワード線ＷＬ１〜ＷＬｙに順にパルスを有する信号が入力される。当該パルスの電位、具体的にはハイレベルの電位が、ワード線ＷＬ１に接続されているトランジスタ１０７のゲート電極に与えられると、当該トランジスタ１０７は全てオンになる。
【０１１３】
トランジスタ１０７がオンになると、データ線ＤＬを介して容量素子１２０に蓄積された電荷が取り出される。そして、上記電荷量の違いをデータ線ＤＬの電位から読み取ることにより、データを読み出すことができる。
【０１１４】
なお、各データ線ＤＬの先には読み出し回路が接続されており、読み出し回路の出力信号が、記憶部から実際に読み出されたデータを含んでいる。
【０１１５】
本実施の形態では、書き込み、保持、読み出し、の各動作を、複数のメモリセル１０５において順に行う駆動方法について説明したが、本発明はこの構成に限定されない。指定されたアドレスのメモリセル１０５においてのみ、上記動作を行うようにしても良い。
【０１１６】
なお、本発明の一態様に係る信号処理回路が有する記憶装置は、図４、図６に示したメモリセル１０５の構成に限定されない。
【０１１７】
なお、本発明の一態様に係る信号処理回路が有する記憶装置は、先に書き込んだデータに上書きするように、別のデータを書き込むことが可能である。よって、従来のフラッシュメモリとは異なり、データの書き換えの際に、先に書き込んであるデータの消去を必要としない点が、メリットの一つである。
【０１１８】
また、一般的なフラッシュメモリの場合、電荷を蓄積するフローティングゲートが、絶縁膜で覆われた絶縁状態にある。よって、フローティングゲートに、トンネル効果を利用して電荷を蓄積させるためには、２０Ｖ程度の高い電圧を記憶素子に印加する必要がある。また、データの書き込みに長い時間を要する。しかし、本発明の一態様に係る信号処理回路が有する記憶装置では、高純度化された酸化物半導体膜をトランジスタの活性層として用いたスイッチング素子により、データの書き込み及び読み出しを行うことができる。よって、記憶装置の動作時に必要な電圧は数Ｖ程度であり、消費電力を格段に小さく抑えることができる。また、データの書き込みをフラッシュメモリの場合よりも高速で行うことができる。
【０１１９】
また、一般的なフラッシュメモリを用いた信号処理回路では、フラッシュメモリの動作時に必要な電圧（動作電圧）が大きいので、通常、昇圧回路などを用いてフラッシュメモリに与える電圧を昇圧している。しかし、本発明の一態様に係る信号処理回路では、記憶装置の動作電圧を小さく抑えられるので、消費電力を小さくすることができる。よって、信号処理回路内の、記憶装置の動作に係わる昇圧回路などの外部回路の負担を軽減することができ、その分、外部回路の機能拡張などを行い、信号処理回路の高機能化を実現することができる。また、記憶装置の動作電圧を小さく抑えられることで、動作電圧の大きさをカバーするための冗長な回路設計が不要となるため、信号処理回路に用いられている集積回路の集積度を高めることができ、信号処理回路を高機能化させることができる。
【０１２０】
また、本実施の形態では、２値のデジタルデータを扱う場合の駆動方法について説明したが、本発明の一態様に係る信号処理回路が有する記憶装置では、３値以上の多値のデータを扱うことも可能である。なお、３値以上の多値のデータの場合、値が４値、５値と増えていくにつれて各値どうしの電荷量の差が小さくなるため、微少なオフ電流が存在するとデータの正確さを維持するのが難しく、保持期間がさらに短くなる傾向にある。しかし、本発明の一態様に係る信号処理回路が有する記憶装置では、オフ電流が著しく低減されたトランジスタをスイッチング素子として用いるので、多値化に伴う保持期間の短縮化を抑えることができる。
【０１２１】
（実施の形態２）
記憶装置の、駆動回路の具体的な構成の一例について説明する。
【０１２２】
図７に、記憶装置の具体的な構成を、一例としてブロック図で示す。なお、図７に示すブロック図では、記憶装置内の回路を機能ごとに分類し、互いに独立したブロックとして示しているが、実際の回路は機能ごとに完全に切り分けることが難しく、一つの回路が複数の機能に係わることもあり得る。
【０１２３】
図７に示す記憶装置８００は、セルアレイ８０１と、駆動回路８０２とを有している。駆動回路８０２は、セルアレイ８０１から読み出されたデータを含む信号を生成する読み出し回路８０３と、第１ワード線または第２ワード線の電位を制御するワード線駆動回路８０４と、セルアレイ８０１において選択されたメモリセルにおけるデータの書き込みを制御するデータ線駆動回路８０５とを有する。さらに、駆動回路８０２は、読み出し回路８０３、ワード線駆動回路８０４、データ線駆動回路８０５の動作を制御する制御回路８０６を有している。
【０１２４】
また、図７に示す記憶装置８００では、ワード線駆動回路８０４が、デコーダ８０７と、レベルシフタ８０８と、バッファ８０９とを有している。データ線駆動回路８０５が、デコーダ８１０と、レベルシフタ８１１と、セレクタ８１２とを有している。
【０１２５】
なお、セルアレイ８０１、読み出し回路８０３、ワード線駆動回路８０４、データ線駆動回路８０５、制御回路８０６は、全て一の基板を用いて形成されていても良いし、いずれか１つ又は全てが互いに異なる基板を用いて形成されていても良い。
【０１２６】
異なる基板を用いている場合、ＦＰＣ（Ｆｌｅｘｉｂｌｅ  Ｐｒｉｎｔｅｄ  Ｃｉｒｃｕｉｔ）などを介して上記回路間の電気的な接続を確保することができる。この場合、駆動回路８０２の一部がＦＰＣにＣＯＦ（Ｃｈｉｐ  Ｏｎ  Ｆｉｌｍ）法を用いて接続されていても良い。或いは、ＣＯＧ（Ｃｈｉｐ  Ｏｎ  Ｇｌａｓｓ）法を用いて、電気的な接続を確保することができる。
【０１２７】
記憶装置８００に、セルアレイ８０１のアドレス（Ａｘ、Ａｙ）を情報として含む信号ＡＤが入力されると、制御回路８０６は、アドレスの列方向に関する情報Ａｘをデータ線駆動回路８０５に送り、アドレスの行方向に関する情報Ａｙをワード線駆動回路８０４に送る。また、制御回路８０６は、記憶装置８００に入力されたデータを含む信号ＤＡＴＡを、データ線駆動回路８０５に送る。
【０１２８】
セルアレイ８０１におけるデータの書き込み動作、読み出し動作の選択は、制御回路８０６に供給される信号ＲＥ（Ｒｅａｄ  ｅｎａｂｌｅ）、信号ＷＥ（Ｗｒｉｔｅ  ｅｎａｂｌｅ）などによって選択される。更に、セルアレイ８０１が複数存在する場合、制御回路８０６に、セルアレイ８０１を選択するための信号ＣＥ（Ｃｈｉｐ  ｅｎａｂｌｅ）が入力されていても良い。この場合、信号ＲＥ、信号ＷＥにより選択される動作が、信号ＣＥにより選択されたセルアレイ８０１において実行される。
【０１２９】
セルアレイ８０１では、信号ＷＥによって書き込み動作が選択されると、制御回路８０６からの指示に従って、ワード線駆動回路８０４が有するデコーダ８０７において、アドレスＡｙに対応するメモリセルを選択するための信号が生成される。当該信号は、レベルシフタ８０８によって振幅が調整された後、バッファ８０９において波形が処理され、セルアレイ８０１に入力される。一方、データ線駆動回路８０５では、制御回路８０６からの指示に従って、デコーダ８１０において選択されたメモリセルのうち、アドレスＡｘに対応するメモリセルを選択するための信号が生成される。当該信号は、レベルシフタ８１１によって振幅が調整された後、セレクタ８１２に入力される。セレクタ８１２では、入力された信号に従って信号ＤＡＴＡをサンプリングし、アドレス（Ａｘ、Ａｙ）に対応するメモリセルにサンプリングした信号を入力する。
【０１３０】
また、セルアレイ８０１では、信号ＲＥによって読み出し動作が選択されると、制御回路８０６からの指示に従って、ワード線駆動回路８０４が有するデコーダ８０７において、アドレスＡｙに対応するメモリセルを選択するための信号が生成される。当該信号は、レベルシフタ８０８によって振幅が調整された後、バッファ８０９において波形が処理され、セルアレイ８０１に入力される。一方、読み出し回路８０３では、制御回路８０６からの指示に従って、デコーダ８０７により選択されたメモリセルのうち、アドレスＡｘに対応するメモリセルを選択する。そして、アドレス（Ａｘ、Ａｙ）に対応するメモリセルに記憶されているデータを読み出し、該データを含む信号を生成する。
【０１３１】
本実施の形態は、上記実施の形態と適宜組み合わせて実施することが可能である。
【０１３２】
（実施の形態３）
本実施の形態では、読み出し回路の具体的な構成の一例について説明する。
【０１３３】
セルアレイから読み出された電位は、メモリセルに書き込まれているデータに従って、そのレベルが決まる。よって、理想的には、複数のメモリセルに同じデジタル値のデータが記憶されているならば、複数のメモリセルから読み出された電位は、全て同じレベルのはずである。しかし、実際には、記憶素子として機能するトランジスタ、容量素子、又は読み出し時においてスイッチング素子として機能するトランジスタの特性が、メモリセル間においてばらつくことがある。この場合、読み出されるはずのデータが全て同じデジタル値であっても、実際に読み出された電位にばらつきが生じるため、その分布は幅を有する。よって、セルアレイから読み出された電位に多少のばらつきが生じていても、正確なデータを含み、なおかつ所望の仕様に合わせて振幅、波形が処理された信号を形成する読み出し回路を、駆動回路に設けることが望ましい。
【０１３４】
図８に、読み出し回路の一例を回路図で示す。図８に示す読み出し回路は、セルアレイから読み出された電位Ｖｄａｔａの、読み出し回路への入力を制御するためのスイッチング素子として機能するトランジスタ２６０と、抵抗として機能するトランジスタ２６１とを有する。また、図８に示す読み出し回路は、オペアンプ２６２を有している。
【０１３５】
具体的に、トランジスタ２６１は、それぞれ、そのゲート電極とドレイン電極（または、ドレイン領域）が接続されており、なおかつ、ゲート電極及びドレイン電極にハイレベルの電源電位Ｖｄｄが与えられている。また、トランジスタ２６１は、ソース電極が、オペアンプ２６２の非反転入力端子（＋）に接続されている。よって、トランジスタ２６１は、電源電位Ｖｄｄが与えられているノードと、オペアンプ２６２の非反転入力端子（＋）との間に接続された、抵抗として機能する。なお、図８では、ゲート電極とドレイン電極が接続されたトランジスタを抵抗として用いたが、本発明はこれに限定されず、抵抗として機能する素子であれば代替が可能である。
【０１３６】
また、スイッチング素子として機能するトランジスタ２６０は、そのゲート電極に与えられる信号Ｓｉｇの電位に従って、トランジスタ２６０が有するソース電極への電位Ｖｄａｔａの供給を制御する。
【０１３７】
例えば、トランジスタ２６０がオンになると、電位Ｖｄａｔａと電源電位Ｖｄｄとを、トランジスタ２６０とトランジスタ２６１により抵抗分割することで得られる電位が、オペアンプ２６２の非反転入力端子（＋）に与えられる。そして、電源電位Ｖｄｄのレベルは固定されているので、抵抗分割により得られる電位のレベルには、電位Ｖｄａｔａのレベル、すなわち、読み出されたデータのデジタル値が反映されている。
【０１３８】
一方、オペアンプ２６２の反転入力端子（−）には、基準電位Ｖｒｅｆが与えられている。そして、非反転入力端子（＋）に与えられる電位が、基準電位Ｖｒｅｆに対して高いか低いかにより、出力端子の電位Ｖｏｕｔのレベルを異ならせることができ、それにより、データを間接的に含む信号を得ることができる。
【０１３９】
なお、同じ値のデータが記憶されているメモリセルであっても、メモリセル間の特性のばらつきにより、読み出された電位Ｖｄａｔａのレベルにもばらつきが生じ、その分布が幅を有する場合がある。よって、基準電位Ｖｒｅｆのレベルは、データの値を正確に読み取るために、ノードの電位Ｖｄａｔａのばらつきを考慮して定める。
【０１４０】
また、図８では、２値のデジタル値を扱う場合の読み出し回路の一例であるので、データの読み出しに用いるオペアンプは、電位Ｖｄａｔａの与えられるノードに対して１つずつ用いているが、オペアンプの数はこれに限定されない。ｎ値（ｎは２以上の自然数）のデータを扱う場合は、電位Ｖｄａｔａの与えられるノードに対するオペアンプの数をｎ−１とする。
【０１４１】
本実施の形態は、上記実施の形態と適宜組み合わせて実施することが可能である。
【０１４２】
（実施の形態４）
本実施の形態では、本発明の信号処理回路の具体的な一形態について説明する。図９に、信号処理回路の構成をブロックで一例として示す。
【０１４３】
信号処理回路６００は、制御装置６０１と、演算装置に相当するＡＬＵ（Ａｒｉｔｈｍｅｔｉｃ  ｌｏｇｉｃ  ｕｎｉｔ）６０２と、データキャッシュ６０３と、命令キャッシュ６０４と、プログラムカウンタ６０５と、命令レジスタ６０６と、主記憶装置６０７と、レジスタファイル６０８とを有する。
【０１４４】
制御装置６０１は、入力された命令をデコードし、実行する機能を有する。ＡＬＵ６０２は、四則演算、論理演算などの各種演算処理を行う機能を有する。データキャッシュ６０３は、使用頻度の高いデータを一時的に記憶しておく緩衝記憶装置である。命令キャッシュ６０４は、制御装置６０１に送られる命令（プログラム）のうち、使用頻度の高い命令を一時的に記憶しておく緩衝記憶装置である。プログラムカウンタ６０５は、次に実行する命令のアドレスを記憶するレジスタである。命令レジスタ６０６は、次に実行する命令を記憶するレジスタである。主記憶装置６０７には、ＡＬＵ６０２における演算処理に用いられるデータや、制御装置６０１において実行される命令が記憶されている。レジスタファイル６０８は、汎用レジスタを含む複数のレジスタを有しており、主記憶装置６０７から読み出されたデータ、ＡＬＵ６０２の演算処理の途中で得られたデータ、或いはＡＬＵ６０２の演算処理の結果得られたデータ、などを記憶することができる。
【０１４５】
次いで、信号処理回路６００の動作について説明する。
【０１４６】
制御装置６０１は、プログラムカウンタ６０５に記憶されている、次に実行する命令のアドレスに従い、命令キャッシュ６０４の対応するアドレスから命令を読み出し、命令レジスタ６０６に上記命令を記憶させる。命令キャッシュ６０４の対応するアドレスに、該当する命令が記憶されていない場合は、主記憶装置６０７の対応するアドレスにアクセスし、主記憶装置６０７から命令を読み出し、命令レジスタ６０６に記憶させる。この場合、上記命令を命令キャッシュ６０４にも記憶させておく。
【０１４７】
制御装置６０１は、命令レジスタ６０６に記憶されている命令をデコードし、命令を実行する。具体的には、上記命令に従ってＡＬＵ６０２の動作を制御するための各種信号を生成する。
【０１４８】
実行すべき命令が演算命令の場合は、レジスタファイル６０８に記憶されているデータを用いてＡＬＵ６０２に演算処理を行わせ、その演算処理の結果をレジスタファイル６０８に格納する。
【０１４９】
実行すべき命令がロード命令の場合は、制御装置６０１は、まずデータキャッシュ６０３の対応するアドレスにアクセスし、該当するデータがデータキャッシュ６０３中にあるか否かを確認する。ある場合は、データキャッシュ６０３の対応するアドレスからレジスタファイル６０８に該当するデータをコピーする。ない場合は、上記データを主記憶装置６０７の対応するアドレスからデータキャッシュ６０３の対応するアドレスにコピーした後、データキャッシュ６０３の対応するアドレスからレジスタファイル６０８に上記データをコピーする。
【０１５０】
実行すべき命令がストア命令の場合は、レジスタファイル６０８のデータを、データキャッシュ６０３の対応するアドレスに記憶させる。このとき、制御装置６０１は、まずデータキャッシュ６０３の対応するアドレスにアクセスし、該当するデータがデータキャッシュ６０３中に格納できるか否かを確認する。格納できる場合は、上記データをレジスタファイル６０８からデータキャッシュ６０３の対応するアドレスにコピーする。格納できない場合は、データキャッシュ６０３の一部領域に新たに対応するアドレスを割り振り、上記データをレジスタファイル６０８からデータキャッシュ６０３の対応するアドレスにコピーする。なお、データキャッシュ６０３にデータをコピーしたら直ちに、主記憶装置６０７にも上記データをコピーする構成も可能である。また、幾つかのデータをデータキャッシュ６０３にコピーした後、それらのデータをまとめて主記憶装置６０７にコピーする構成も可能である。
【０１５１】
そして、制御装置６０１は、命令の実行が終了すると、再度プログラムカウンタ６０５にアクセスし、命令レジスタ６０６から読み出した命令をデコード、実行するという上記動作を繰り返す。
【０１５２】
本発明の一態様では、データキャッシュ６０３と命令キャッシュ６０４に、上記実施の形態で示した記憶装置を用いることで、電源の供給を停止してもデータの消失を防ぐことができる。よって、信号処理回路６００全体、もしくは信号処理回路６００を構成する制御装置６０１、ＡＬＵ６０２などの論理回路において、短い時間でも電源の供給を停止することができる。従って、信号処理回路６００の消費電力を小さく抑えることができる。
【０１５３】
本実施の形態は、上記実施の形態と適宜組み合わせて実施することが可能である。
【０１５４】
（実施の形態５）
緩衝記憶装置は、特定の情報量を格納するキャッシュラインを複数有している。そして、各キャッシュラインは、データフィールドと呼ばれるメモリ領域と、タグと呼ばれるメモリ領域と、バリッドビットと呼ばれるメモリ領域とを含む。
【０１５５】
データフィールドには、主記憶装置または演算装置から送られてくるデータである、キャッシュデータが記憶される。タグには、上記キャッシュデータに対応したアドレスのデータである番地データが記憶される。バリッドビットには、データフィールドに格納されているキャッシュデータが有効か無効かを示すデータである、バリッドデータが記憶される。
【０１５６】
図１０に、緩衝記憶装置の構造を一例として示す。図１０に示す緩衝記憶装置は、キャッシュライン０乃至キャッシュラインｎ−１の、ｎ個のキャッシュラインを有している。各キャッシュラインは、タグ、バリッドビット、データフィールドを有している。
【０１５７】
例えば、信号処理回路への電源電圧の供給が長期間に渡って停止されていた場合、緩衝記憶装置が揮発性メモリで構成されているならば、キャッシュラインに格納されているデータは不定値になっている。このため、信号処理回路への電源電圧の供給が開始された後に、全てのキャッシュラインのバリッドビットを無効化する必要がある。しかし、バリッドビットを無効化する処理を行っている間は、制御装置や演算装置を待機させておく必要がある。そのため、電源電圧の供給が開始されてから、信号処理回路が実際に信号を処理するまで、時間を要する。
【０１５８】
本発明の一態様に係る信号処理回路では、記憶装置内の全てのメモリセルにおいて、データの書き込みを一括で行うことができる構成とする。すなわち、キャッシュラインごとに、バリッドビットのデータを書き込んでいく必要はなく、全てのキャッシュラインが有するバリッドビットのデータを一括で書き込むことができる。具体的には、メモリセルの全てのワード線ＷＬまたは第１ワード線ＷＬａの電位を一括で制御できる構成とすることで、スイッチング素子として機能するトランジスタを一括してオンにし、無効を意味するデジタル値のデータを全メモリセルに書き込む。また、スイッチング素子として機能するトランジスタが、活性層を間に挟んで存在する一対のゲート電極を有し、一方のゲート電極がワード線ＷＬまたは第１ワード線ＷＬａに接続されている場合、他方のゲート電極の電位を制御することで、一括で全メモリセルに無効を意味するデジタル値のデータを書き込むようにしても良い。
【０１５９】
よって、本発明の一態様に係る信号処理回路では、キャッシュラインごとにデータの書き込みを行わなくてはならない記憶装置を用いた一般的な信号処理回路に比べて、バリッドビットを無効化する処理に要する時間を短くすることができる。従って、電源電圧の供給が開始されてから、信号処理回路が実際に信号を処理するまでの起動時間を、短くすることができる。
【０１６０】
特に、緩衝記憶装置の大容量化に伴い、キャッシュラインの数が増大した場合、一般的な信号処理回路に比べて、発明の一態様に係る信号処理回路は、上述した起動時間を著しく短くすることができる。
【０１６１】
例えば、信号処理回路の命令セットに、緩衝記憶装置内の全てのバリッドビットの無効化を行う命令を用意する。当該命令を主記憶装置内の、制御装置が一番初めにアクセスするアドレスに格納する。また、緩衝記憶装置は、電源電圧の供給が開始された直後は待機状態となる構成とし、バリッドビットの無効化の処理が終了後、動作が開始する構成とする。具体的には、緩衝記憶装置の状態を示すレジスタを用意し、信号処理回路への電源電圧の供給が開始された直後は、緩衝記憶装置が待機状態であることを示すデータを、レジスタが有するようにすれば良い。
【０１６２】
制御装置は、信号処理回路への電源電圧の供給が開始されると、緩衝記憶装置が待機状態にあるので、主記憶装置にアクセスをする。制御装置は主記憶装置から、全てのバリッドビットを無効化する命令を読み込む。制御装置は、読み込んだ命令をデコードし、実行する。
【０１６３】
本実施の形態は、上記実施の形態と適宜組み合わせて実施することが可能である。
【０１６４】
（実施の形態６）
本実施の形態では、図２（Ｃ）に示したメモリセル１０５において、トランジスタ１０７の活性層に酸化物半導体を用い、トランジスタ１２３の活性層にシリコンを用いる場合を例に挙げて、記憶装置の作製方法について説明する。
【０１６５】
ただし、トランジスタ１２３は、シリコンの他、ゲルマニウム、シリコンゲルマニウム、単結晶炭化シリコンなどの半導体材料を用いていても良い。また、例えば、シリコンを用いたトランジスタ１２３は、シリコンウェハなどの単結晶半導体基板、ＳＯＩ法により作製されたシリコン薄膜、気相成長法により作製されたシリコン薄膜などを用いて形成することができる。或いは、本発明の一態様では、メモリセルを構成する全てのトランジスタに、酸化物半導体を用いていても良い。
【０１６６】
本実施の形態では、まず、図１１（Ａ）に示すように、基板７００上に絶縁膜７０１と、単結晶の半導体基板から分離された半導体膜７０２とを形成する。
【０１６７】
基板７００として使用することができる素材に大きな制限はないが、少なくとも、後の加熱処理に耐えうる程度の耐熱性を有していることが必要となる。例えば、基板７００には、フュージョン法やフロート法で作製されるガラス基板、石英基板、半導体基板、セラミック基板等を用いることができる。ガラス基板としては、後の加熱処理の温度が高い場合には、歪み点が７３０℃以上のものを用いると良い。
【０１６８】
また、本実施の形態では、半導体膜７０２が単結晶のシリコンである場合を例に挙げて、以下、トランジスタ１２３の作製方法について説明する。なお、具体的な単結晶の半導体膜７０２の作製方法の一例について、簡単に説明する。まず、単結晶の半導体基板であるボンド基板に、電界で加速されたイオンでなるイオンビームを注入し、ボンド基板の表面から一定の深さの領域に、結晶構造が乱されることで局所的に脆弱化された脆化層を形成する。脆化層が形成される領域の深さは、イオンビームの加速エネルギーとイオンビームの入射角によって調節することができる。そして、ボンド基板と、絶縁膜７０１が形成された基板７００とを、間に当該絶縁膜７０１が挟まるように貼り合わせる。貼り合わせは、ボンド基板と基板７００とを重ね合わせた後、ボンド基板と基板７００の一部に、１Ｎ／ｃｍ２以上５００Ｎ／ｃｍ２以下、好ましくは１１Ｎ／ｃｍ２以上２０Ｎ／ｃｍ２以下程度の圧力を加える。圧力を加えると、その部分からボンド基板と絶縁膜７０１とが接合を開始し、最終的には密着した面全体に接合がおよぶ。次いで、加熱処理を行うことで、脆化層に存在する各微小ボイドが膨張することで微小ボイドどうしが結合し、大きな体積を有するボイドが得られる。その結果、脆化層においてボンド基板の一部である単結晶半導体膜が、ボンド基板から分離する。上記加熱処理の温度は、基板７００の歪み点を越えない温度とする。そして、上記単結晶半導体膜をエッチング等により所望の形状に加工することで、半導体膜７０２を形成することができる。
【０１６９】
半導体膜７０２には、閾値電圧を制御するために、硼素、アルミニウム、ガリウムなどのｐ型の導電性を付与する不純物元素、若しくはリン、砒素などのｎ型の導電性を付与する不純物元素を添加しても良い。閾値電圧を制御するための不純物元素の添加は、パターニングする前の半導体膜に対して行っても良いし、パターニング後に形成された半導体膜７０２に対して行っても良い。また、閾値電圧を制御するための不純物元素の添加を、ボンド基板に対して行っても良い。若しくは、不純物元素の添加を、閾値電圧を大まかに調整するためにボンド基板に対して行った上で、閾値電圧を微調整するために、パターニング前の半導体膜に対して、又はパターニングにより形成された半導体膜７０２に対しても行っても良い。
【０１７０】
なお、本実施の形態では、単結晶の半導体膜を用いる例について説明しているが、本発明はこの構成に限定されない。例えば、絶縁膜７０１上に気相成長法を用いて形成された多結晶、微結晶、非晶質の半導体膜を用いても良いし、上記半導体膜を公知の技術により結晶化しても良い。公知の結晶化方法としては、レーザ光を用いたレーザ結晶化法、触媒元素を用いる結晶化法がある。或いは、触媒元素を用いる結晶化法とレーザ結晶化法とを組み合わせて用いることもできる。また、石英のような耐熱性に優れている基板を用いる場合、電熱炉を使用した熱結晶化方法、赤外光を用いたランプアニール結晶化法、触媒元素を用いる結晶化法、９５０℃程度の高温アニール法を組み合わせた結晶化法を用いても良い。
【０１７１】
次に、図１１（Ｂ）に示すように、半導体膜７０２上にゲート絶縁膜７０３を形成した後、ゲート絶縁膜７０３上にマスク７０５を形成し、導電性を付与する不純物元素を半導体膜７０２の一部に添加することで、不純物領域７０４を形成する。
【０１７２】
ゲート絶縁膜７０３は、高密度プラズマ処理、熱処理などを行うことにより半導体膜７０２の表面を酸化又は窒化することで形成することができる。高密度プラズマ処理は、例えばＨｅ、Ａｒ、Ｋｒ、Ｘｅなどの希ガスと酸素、酸化窒素、アンモニア、窒素、水素などの混合ガスとを用いて行う。この場合、プラズマの励起をマイクロ波の導入により行うことで、低電子温度で高密度のプラズマを生成することができる。このような高密度のプラズマで生成された酸素ラジカル（ＯＨラジカルを含む場合もある）や窒素ラジカル（ＮＨラジカルを含む場合もある）によって、半導体膜の表面を酸化又は窒化することにより、１〜２０ｎｍ、望ましくは５〜１０ｎｍの絶縁膜が半導体膜に接するように形成できる。例えば、亜酸化窒素（Ｎ２Ｏ）をＡｒで１〜３倍（流量比）に希釈して、１０Ｐａ〜３０Ｐａの圧力にて３ｋＷ〜５ｋＷのマイクロ波（２．４５ＧＨｚ）電力を印加して半導体膜７０２の表面を酸化若しくは窒化させる。この処理により１ｎｍ〜１０ｎｍ（好ましくは２ｎｍ〜６ｎｍ）の絶縁膜を形成する。更に亜酸化窒素（Ｎ２Ｏ）とシラン（ＳｉＨ４）を導入し、１０Ｐａ〜３０Ｐａの圧力にて３ｋＷ〜５ｋＷのマイクロ波（２．４５ＧＨｚ）電力を印加して気相成長法により酸化窒化珪素膜を形成してゲート絶縁膜を形成する。固相反応と気相成長法による反応を組み合わせることにより界面準位密度が低く絶縁耐圧の優れたゲート絶縁膜を形成することができる。
【０１７３】
上述した高密度プラズマ処理による半導体膜の酸化又は窒化は固相反応で進むため、ゲート絶縁膜７０３と半導体膜７０２との界面準位密度を極めて低くすることができる。また高密度プラズマ処理により半導体膜７０２を直接酸化又は窒化することで、形成される絶縁膜の厚さのばらつきを抑えることができる。また半導体膜が結晶性を有する場合、高密度プラズマ処理を用いて半導体膜の表面を固相反応で酸化させることにより、結晶粒界においてのみ酸化が速く進んでしまうのを抑え、均一性が良く、界面準位密度の低いゲート絶縁膜を形成することができる。高密度プラズマ処理により形成された絶縁膜を、ゲート絶縁膜の一部又は全部に含んで形成されるトランジスタは、特性のばらつきを抑えることができる。
【０１７４】
また、プラズマＣＶＤ法又はスパッタリング法などを用い、酸化珪素、窒化酸化珪素、酸化窒化珪素、窒化珪素、酸化ハフニウム、酸化アルミニウム又は酸化タンタル、酸化イットリウム、ハフニウムシリケート（ＨｆＳｉｘＯｙ（ｘ＞０、ｙ＞０））、窒素が添加されたハフニウムシリケート（ＨｆＳｉｘＯｙ（ｘ＞０、ｙ＞０））、窒素が添加されたハフニウムアルミネート（ＨｆＡｌｘＯｙ（ｘ＞０、ｙ＞０））等を含む膜を、単層で、又は積層させることで、ゲート絶縁膜７０３を形成しても良い。
【０１７５】
なお、本明細書において酸化窒化物とは、その組成として、窒素よりも酸素の含有量が多い物質であり、また、窒化酸化物とは、その組成として、酸素よりも窒素の含有量が多い物質を意味する。
【０１７６】
ゲート絶縁膜７０３の厚さは、例えば、１ｎｍ以上１００ｎｍ以下、好ましくは１０ｎｍ以上５０ｎｍ以下とすることができる。本実施の形態では、プラズマＣＶＤ法を用いて、酸化珪素を含む単層の絶縁膜を、ゲート絶縁膜７０３として用いる。
【０１７７】
次いで、マスク７０５を除去した後、図１１（Ｃ）に示すように、ゲート絶縁膜７０３の一部を除去して、不純物領域７０４と重畳する領域にエッチング等により開口部７０６を形成した後、ゲート電極７０７及び導電膜７０８を形成する。
【０１７８】
ゲート電極７０７及び導電膜７０８は、開口部７０６を覆うように導電膜を形成した後、該導電膜を所定の形状に加工（パターニング）することで、形成することができる。導電膜７０８は、開口部７０６において不純物領域７０４と接している。上記導電膜の形成にはＣＶＤ法、スパッタリング法、蒸着法、スピンコート法等を用いることができる。また、導電膜は、タンタル（Ｔａ）、タングステン（Ｗ）、チタン（Ｔｉ）、モリブデン（Ｍｏ）、アルミニウム（Ａｌ）、銅（Ｃｕ）、クロム（Ｃｒ）、ニオブ（Ｎｂ）等を用いることができる。上記金属を主成分とする合金を用いても良いし、上記金属を含む化合物を用いても良い。又は、半導体膜に導電性を付与するリン等の不純物元素をドーピングした、多結晶珪素などの半導体を用いて形成しても良い。
【０１７９】
なお、本実施の形態ではゲート電極７０７及び導電膜７０８を単層の導電膜で形成しているが、本実施の形態はこの構成に限定されない。ゲート電極７０７及び導電膜７０８は積層された複数の導電膜で形成されていても良い。
【０１８０】
２つの導電膜の組み合わせとして、１層目に窒化タンタル又はタンタルを、２層目にタングステンを用いることができる。上記例の他に、窒化タングステンとタングステン、窒化モリブデンとモリブデン、アルミニウムとタンタル、アルミニウムとチタン等が挙げられる。タングステンや窒化タンタルは、耐熱性が高いため、２層の導電膜を形成した後の工程において、熱活性化を目的とした加熱処理を行うことができる。また、２層の導電膜の組み合わせとして、例えば、ｎ型の導電性を付与する不純物元素がドーピングされた珪素とニッケルシリサイド、ｎ型の導電性を付与する不純物元素がドーピングされた珪素とタングステンシリサイド等も用いることができる。
【０１８１】
３つ以上の導電膜を積層する３層構造の場合は、モリブデン膜とアルミニウム膜とモリブデン膜の積層構造を採用するとよい。
【０１８２】
また、ゲート電極７０７及び導電膜７０８に酸化インジウム、酸化インジウム酸化スズ混合物、酸化インジウム酸化亜鉛混合物、酸化亜鉛、酸化亜鉛アルミニウム、酸窒化亜鉛アルミニウム、又は酸化亜鉛ガリウム等の透光性を有する酸化物導電膜を用いることもできる。
【０１８３】
なお、マスクを用いずに、液滴吐出法を用いて選択的にゲート電極７０７及び導電膜７０８を形成しても良い。液滴吐出法とは、所定の組成物を含む液滴を細孔から吐出又は噴出することで所定のパターンを形成する方法を意味し、インクジェット法などがその範疇に含まれる。
【０１８４】
また、ゲート電極７０７及び導電膜７０８は、導電膜を形成後、ＩＣＰ（Ｉｎｄｕｃｔｉｖｅｌｙ  Ｃｏｕｐｌｅｄ  Ｐｌａｓｍａ：誘導結合型プラズマ）エッチング法を用い、エッチング条件（コイル型の電極層に印加される電力量、基板側の電極層に印加される電力量、基板側の電極温度等）を適宜調節することにより、所望のテーパー形状を有するようにエッチングすることができる。また、テーパー形状は、マスクの形状によっても角度等を制御することができる。なお、エッチング用ガスとしては、塩素、塩化硼素、塩化珪素もしくは四塩化炭素などの塩素系ガス、四弗化炭素、弗化硫黄もしくは弗化窒素などのフッ素系ガス又は酸素を適宜用いることができる。
【０１８５】
次に、図１１（Ｄ）に示すように、ゲート電極７０７及び導電膜７０８をマスクとして一導電性を付与する不純物元素を半導体膜７０２に添加することで、ゲート電極７０７と重なるチャネル形成領域７１０と、チャネル形成領域７１０を間に挟む一対の不純物領域７０９と、不純物領域７０４の一部に更に不純物元素が添加された不純物領域７１１とが、半導体膜７０２に形成される。
【０１８６】
本実施の形態では、半導体膜７０２にｐ型を付与する不純物元素（例えばボロン）を添加する場合を例に挙げる。
【０１８７】
なお、図１４（Ａ）は、上述の工程が終了した時点での、メモリセルの上面図である。図１４（Ａ）の破線Ａ１−Ａ２における断面図が、図１１（Ｄ）に相当する。
【０１８８】
次いで、図１２（Ａ）に示すように、ゲート絶縁膜７０３、ゲート電極７０７、導電膜７０８を覆うように、絶縁膜７１２、絶縁膜７１３を形成する。具体的に、絶縁膜７１２、絶縁膜７１３は、酸化珪素、窒化珪素、窒化酸化珪素、酸化窒化珪素、窒化アルミニウム、窒化酸化アルミニウムなどの無機の絶縁膜を用いることができる。特に、絶縁膜７１２、絶縁膜７１３に誘電率の低い（ｌｏｗ−ｋ）材料を用いることで、各種電極や配線の重なりに起因する容量を十分に低減することが可能になるため好ましい。なお、絶縁膜７１２、絶縁膜７１３に、上記材料を用いた多孔性の絶縁膜を適用しても良い。多孔性の絶縁膜では、密度の高い絶縁膜と比較して誘電率が低下するため、電極や配線に起因する寄生容量を更に低減することが可能である。
【０１８９】
本実施の形態では、絶縁膜７１２として酸化窒化珪素、絶縁膜７１３として窒化酸化珪素を用いる場合を例に挙げる。また、本実施の形態では、ゲート電極７０７及び導電膜７０８上に絶縁膜７１２、絶縁膜７１３を形成している場合を例示しているが、本発明はゲート電極７０７及び導電膜７０８上に絶縁膜を１層だけ形成していても良いし、３層以上の複数の絶縁膜を積層するように形成していても良い。
【０１９０】
次いで、図１２（Ｂ）に示すように、絶縁膜７１２及び絶縁膜７１３にＣＭＰ（化学的機械研磨）処理やエッチング処理を行うことにより、ゲート電極７０７及び導電膜７０８の表面を露出させる。なお、後に形成されるトランジスタ１０７の特性を向上させるために、絶縁膜７１２、絶縁膜７１３の表面は可能な限り平坦にしておくことが好ましい。
【０１９１】
以上の工程により、トランジスタ１２３を形成することができる。
【０１９２】
次いで、トランジスタ１０７の作製方法について説明する。まず、図１２（Ｃ）に示すように、絶縁膜７１２又は絶縁膜７１３上に酸化物半導体膜７１６を形成する。
【０１９３】
酸化物半導体膜７１６は、絶縁膜７１２及び絶縁膜７１３上に形成した酸化物半導体膜を所望の形状に加工することで、形成することができる。上記酸化物半導体膜の膜厚は、２ｎｍ以上２００ｎｍ以下、好ましくは３ｎｍ以上５０ｎｍ以下、更に好ましくは３ｎｍ以上２０ｎｍ以下とする。酸化物半導体膜は、酸化物半導体をターゲットとして用い、スパッタ法により成膜する。また、酸化物半導体膜は、希ガス（例えばアルゴン）雰囲気下、酸素雰囲気下、又は希ガス（例えばアルゴン）及び酸素混合雰囲気下においてスパッタ法により形成することができる。
【０１９４】
なお、酸化物半導体膜をスパッタ法により成膜する前に、アルゴンガスを導入してプラズマを発生させる逆スパッタを行い、絶縁膜７１２及び絶縁膜７１３の表面に付着している塵埃を除去することが好ましい。逆スパッタとは、ターゲット側に電圧を印加せずに、アルゴン雰囲気下で基板側にＲＦ電源を用いて電圧を印加して基板近傍にプラズマを形成して表面を改質する方法である。なお、アルゴン雰囲気に代えて窒素、ヘリウムなどを用いてもよい。また、アルゴン雰囲気に酸素、亜酸化窒素などを加えた雰囲気で行ってもよい。また、アルゴン雰囲気に塩素、四フッ化炭素などを加えた雰囲気で行ってもよい。
【０１９５】
例えば、酸化物半導体として、酸化インジウム、酸化スズ、酸化亜鉛、二元系金属の酸化物であるＩｎ−Ｚｎ系酸化物、Ｓｎ−Ｚｎ系酸化物、Ａｌ−Ｚｎ系酸化物、Ｚｎ−Ｍｇ系酸化物、Ｓｎ−Ｍｇ系酸化物、Ｉｎ−Ｍｇ系酸化物、Ｉｎ−Ｇａ系酸化物、三元系金属の酸化物であるＩｎ−Ｇａ−Ｚｎ系酸化物（ＩＧＺＯとも表記する）、Ｉｎ−Ａｌ−Ｚｎ系酸化物、Ｉｎ−Ｓｎ−Ｚｎ系酸化物、Ｓｎ−Ｇａ−Ｚｎ系酸化物、Ａｌ−Ｇａ−Ｚｎ系酸化物、Ｓｎ−Ａｌ−Ｚｎ系酸化物、Ｉｎ−Ｈｆ−Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ系酸化物、Ｉｎ−Ｌｕ−Ｚｎ系酸化物、四元系金属の酸化物であるＩｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系酸化物を用いることができる。また、上記酸化物半導体は、珪素を含んでいてもよい。
【０１９６】
例えば、Ｉｎ：Ｇａ：Ｚｎ＝１：１：１（＝１／３：１／３：１／３）あるいはＩｎ：Ｇａ：Ｚｎ＝２：２：１（＝２／５：２／５：１／５）の原子比のＩｎ−Ｇａ−Ｚｎ系酸化物やその組成の近傍の酸化物を用いることができる。あるいは、Ｉｎ：Ｓｎ：Ｚｎ＝１：１：１（＝１／３：１／３：１／３）、Ｉｎ：Ｓｎ：Ｚｎ＝２：１：３（＝１／３：１／６：１／２）あるいはＩｎ：Ｓｎ：Ｚｎ＝２：１：５（＝１／４：１／８：５／８）の原子比のＩｎ−Ｓｎ−Ｚｎ系酸化物やその組成の近傍の酸化物を用いるとよい。
【０１９７】
しかし、これらに限られず、必要とする半導体特性（移動度、しきい値、ばらつき等）に応じて適切な組成のものを用いればよい。また、必要とする半導体特性を得るために、キャリア密度や不純物濃度、欠陥密度、金属元素と酸素の原子数比、原子間結合距離、密度等を適切なものとすることが好ましい。
【０１９８】
例えば、Ｉｎ−Ｓｎ−Ｚｎ系酸化物では比較的容易に高い移動度が得られる。しかしながら、Ｉｎ−Ｇａ−Ｚｎ系酸化物でも、バルク内欠陥密度を低減することにより移動度を上げることができる。
【０１９９】
なお、例えば、Ｉｎ、Ｇａ、Ｚｎの原子数比がＩｎ：Ｇａ：Ｚｎ＝ａ：ｂ：ｃ（ａ＋ｂ＋ｃ＝１）である酸化物の組成が、原子数比がＩｎ：Ｇａ：Ｚｎ＝Ａ：Ｂ：Ｃ（Ａ＋Ｂ＋Ｃ＝１）の酸化物の組成の近傍であるとは、ａ、ｂ、ｃが、（ａ―Ａ）２＋（ｂ―Ｂ）２＋（ｃ―Ｃ）２≦ｒ２を満たすことを言い、ｒは、例えば、０．０５とすればよい。他の酸化物でも同様である。
【０２００】
本実施の形態では、Ｉｎ（インジウム）、Ｇａ（ガリウム）、及びＺｎ（亜鉛）を含むターゲットを用いたスパッタ法により得られる膜厚３０ｎｍのＩｎ−Ｇａ−Ｚｎ−Ｏ系酸化物半導体の薄膜を、酸化物半導体膜として用いる。上記ターゲットとして、例えば、Ｉｎ２Ｏ３：Ｇａ２Ｏ３：ＺｎＯ＝１：１：１［ｍｏｌ数比］の組成比を有するターゲットを用いる。また、Ｉｎ２Ｏ３：Ｇａ２Ｏ３：ＺｎＯ＝１：１：２［ｍｏｌ数比］の組成比を有するターゲット、またはＩｎ２Ｏ３：Ｇａ２Ｏ３：ＺｎＯ＝１：１：４［ｍｏｌ数比］を有するターゲットを用いることができる。また、Ｉｎ、Ｇａ、及びＺｎを含むターゲットの充填率は９０％以上１００％以下、好ましくは９５％以上１００％未満である。充填率の高いターゲットを用いることにより、成膜した酸化物半導体膜は緻密な膜となる。
【０２０１】
本実施の形態では、減圧状態に保持された処理室内に基板を保持し、処理室内の残留水分を除去しつつ水素及び水分が除去されたスパッタガスを導入し、上記ターゲットを用いて酸化物半導体膜を成膜する。成膜時に、基板温度を１００℃以上６００℃以下、好ましくは２００℃以上４００℃以下としても良い。基板を加熱しながら成膜することにより、成膜した酸化物半導体膜に含まれる不純物濃度を低減することができる。また、スパッタリングによる損傷が軽減される。処理室内の残留水分を除去するためには、吸着型の真空ポンプを用いることが好ましい。例えば、クライオポンプ、イオンポンプ、チタンサブリメーションポンプを用いることが好ましい。また、排気手段としては、ターボポンプにコールドトラップを加えたものであってもよい。クライオポンプを用いて処理室を排気すると、例えば、水素原子、水（Ｈ２Ｏ）など水素原子を含む化合物（より好ましくは炭素原子を含む化合物も）等が排気されるため、当該処理室で成膜した酸化物半導体膜に含まれる不純物の濃度を低減できる。
【０２０２】
成膜条件の一例としては、基板とターゲットの間との距離を１００ｍｍ、圧力０．６Ｐａ、直流（ＤＣ）電源０．５ｋＷ、酸素（酸素流量比率１００％）雰囲気下の条件が適用される。なお、パルス直流（ＤＣ）電源を用いると、成膜時に発生する塵埃が軽減でき、膜厚分布も均一となるために好ましい。
【０２０３】
また、スパッタリング装置の処理室のリークレートを１×１０−１０Ｐａ・ｍ３／秒以下とすることで、スパッタリング法による成膜途中における酸化物半導体膜への、アルカリ金属、水素化物等の不純物の混入を低減することができる。また、排気系として上述した吸着型の真空ポンプを用いることで、排気系からのアルカリ金属、水素原子、水素分子、水、水酸基、または水素化物等の不純物の逆流を低減することができる。
【０２０４】
また、ターゲットの純度を、９９．９９％以上とすることで、酸化物半導体膜に混入するアルカリ金属、水素原子、水素分子、水、水酸基、または水素化物等を低減することができる。また、当該ターゲットを用いることで、酸化物半導体膜において、リチウム、ナトリウム、カリウム等のアルカリ金属の濃度を低減することができる。
【０２０５】
なお、酸化物半導体膜に水素、水酸基及び水分がなるべく含まれないようにするために、成膜の前処理として、スパッタリング装置の予備加熱室で絶縁膜７１２及び絶縁膜７１３までが形成された基板７００を予備加熱し、基板７００に吸着した水分又は水素などの不純物を脱離し排気することが好ましい。なお、予備加熱の温度は、１００℃以上４００℃以下、好ましくは１５０℃以上３００℃以下である。また、予備加熱室に設ける排気手段はクライオポンプが好ましい。なお、この予備加熱の処理は省略することもできる。また、この予備加熱は、後に行われるゲート絶縁膜７２１の成膜前に、導電膜７１９、導電膜７２０まで形成した基板７００にも同様に行ってもよい。
【０２０６】
なお、酸化物半導体膜７１６を形成するためのエッチングは、ドライエッチングでもウェットエッチングでもよく、両方を用いてもよい。ドライエッチングに用いるエッチングガスとしては、塩素を含むガス（塩素系ガス、例えば塩素（Ｃｌ２）、三塩化硼素（ＢＣｌ３）、四塩化珪素（ＳｉＣｌ４）、四塩化炭素（ＣＣｌ４）など）が好ましい。また、フッ素を含むガス（フッ素系ガス、例えば四弗化炭素（ＣＦ４）、六弗化硫黄（ＳＦ６）、三弗化窒素（ＮＦ３）、トリフルオロメタン（ＣＨＦ３）など）、臭化水素（ＨＢｒ）、酸素（Ｏ２）、これらのガスにヘリウム（Ｈｅ）やアルゴン（Ａｒ）などの希ガスを添加したガス、などを用いることができる。
【０２０７】
ドライエッチング法としては、平行平板型ＲＩＥ（Ｒｅａｃｔｉｖｅ  Ｉｏｎ  Ｅｔｃｈｉｎｇ）法や、ＩＣＰ（Ｉｎｄｕｃｔｉｖｅｌｙ  Ｃｏｕｐｌｅｄ  Ｐｌａｓｍａ：誘導結合型プラズマ）エッチング法を用いることができる。所望の形状にエッチングできるように、エッチング条件（コイル型の電極に印加される電力量、基板側の電極に印加される電力量、基板側の電極温度等）を適宜調節する。
【０２０８】
ウェットエッチングに用いるエッチング液として、燐酸と酢酸と硝酸を混ぜた溶液、クエン酸やシュウ酸などの有機酸を用いることができる。本実施の形態では、ＩＴＯ−０７Ｎ（関東化学社製）を用いる。
【０２０９】
酸化物半導体膜７１６を形成するためのレジストマスクをインクジェット法で形成してもよい。レジストマスクをインクジェット法で形成するとフォトマスクを使用しないため、製造コストを低減できる。
【０２１０】
なお、次工程の導電膜を形成する前に逆スパッタを行い、酸化物半導体膜７１６及び絶縁膜７１２及び絶縁膜７１３の表面に付着しているレジスト残渣などを除去することが好ましい。
【０２１１】
なお、スパッタ等で成膜された酸化物半導体膜中には、不純物としての水分又は水素（水酸基を含む）が多量に含まれていることがある。水分又は水素はドナー準位を形成しやすいため、酸化物半導体にとっては不純物である。そこで、本発明の一態様では、酸化物半導体膜中の水分又は水素などの不純物を低減（脱水化または脱水素化）するために、酸化物半導体膜７１６に対して、減圧雰囲気下、窒素や希ガスなどの不活性ガス雰囲気下、酸素ガス雰囲気下、又は超乾燥エア（ＣＲＤＳ（キャビティリングダウンレーザー分光法）方式の露点計を用いて測定した場合の水分量が２０ｐｐｍ（露点換算で−５５℃）以下、好ましくは１ｐｐｍ以下、好ましくは１０ｐｐｂ以下の空気）雰囲気下で、酸化物半導体膜７１６に加熱処理を施す。
【０２１２】
酸化物半導体膜７１６に加熱処理を施すことで、酸化物半導体膜７１６中の水分又は水素を脱離させることができる。具体的には、２５０℃以上７５０℃以下、好ましくは４００℃以上基板の歪み点未満の温度で加熱処理を行えば良い。例えば、５００℃、３分間以上６分間以下程度で行えばよい。加熱処理にＲＴＡ法を用いれば、短時間に脱水化又は脱水素化が行えるため、ガラス基板の歪点を超える温度でも処理することができる。
【０２１３】
本実施の形態では、加熱処理装置の一つである電気炉を用いる。
【０２１４】
なお、加熱処理装置は電気炉に限られず、抵抗発熱体などの発熱体からの熱伝導又は熱輻射によって、被処理物を加熱する装置を備えていてもよい。例えば、ＧＲＴＡ（Ｇａｓ  Ｒａｐｉｄ  Ｔｈｅｒｍａｌ  Ａｎｎｅａｌ）装置、ＬＲＴＡ（Ｌａｍｐ  Ｒａｐｉｄ  Ｔｈｅｒｍａｌ  Ａｎｎｅａｌ）装置等のＲＴＡ（Ｒａｐｉｄ  Ｔｈｅｒｍａｌ  Ａｎｎｅａｌ）装置を用いることができる。ＬＲＴＡ装置は、ハロゲンランプ、メタルハライドランプ、キセノンアークランプ、カーボンアークランプ、高圧ナトリウムランプ、高圧水銀ランプなどのランプから発する光（電磁波）の輻射により、被処理物を加熱する装置である。ＧＲＴＡ装置は、高温のガスを用いて加熱処理を行う装置である。気体には、アルゴンなどの希ガス、又は窒素のような、加熱処理によって被処理物と反応しない不活性気体が用いられる。
【０２１５】
加熱処理においては、窒素、又はヘリウム、ネオン、アルゴン等の希ガスに、水分又は水素などが含まれないことが好ましい。又は、加熱処理装置に導入する窒素、又はヘリウム、ネオン、アルゴン等の希ガスの純度を、６Ｎ（９９．９９９９％）以上、好ましくは７Ｎ（９９．９９９９９％）以上、（即ち不純物濃度を１ｐｐｍ以下、好ましくは０．１ｐｐｍ以下）とすることが好ましい。
【０２１６】
なお、酸化物半導体は不純物に対して鈍感であり、膜中にはかなりの金属不純物が含まれていても問題がなく、ナトリウムのようなアルカリ金属が多量に含まれる廉価なソーダ石灰ガラスも使えると指摘されている（神谷、野村、細野、「アモルファス酸化物半導体の物性とデバイス開発の現状」、固体物理、２００９年９月号、Ｖｏｌ．４４、ｐｐ．６２１−６３３．）。しかし、このような指摘は適切でない。アルカリ金属は酸化物半導体を構成する元素ではないため、不純物である。アルカリ土類金属も、酸化物半導体を構成する元素ではない場合において、不純物となる。特に、アルカリ金属のうちＮａは、酸化物半導体膜に接する絶縁膜が酸化物である場合、当該絶縁膜中に拡散してＮａ＋となる。また、Ｎａは、酸化物半導体膜内において、酸化物半導体を構成する金属と酸素の結合を分断する、或いは、その結合中に割り込む。その結果、例えば、閾値電圧がマイナス方向にシフトすることによるノーマリオン化、移動度の低下等の、トランジスタの特性の劣化が起こり、加えて、特性のばらつきも生じる。この不純物によりもたらされるトランジスタの特性の劣化と、特性のばらつきは、酸化物半導体膜中の水素濃度が十分に低い場合において顕著に現れる。従って、酸化物半導体膜中の水素濃度が１×１０１８／ｃｍ３以下、より好ましくは１×１０１７／ｃｍ３以下である場合には、上記不純物の濃度を低減することが望ましい。具体的に、二次イオン質量分析法によるＮａ濃度の測定値は、５×１０１６／ｃｍ３以下、好ましくは１×１０１６／ｃｍ３以下、更に好ましくは１×１０１５／ｃｍ３以下とするとよい。同様に、Ｌｉ濃度の測定値は、５×１０１５／ｃｍ３以下、好ましくは１×１０１５／ｃｍ３以下とするとよい。同様に、Ｋ濃度の測定値は、５×１０１５／ｃｍ３以下、好ましくは１×１０１５／ｃｍ３以下とするとよい。
【０２１７】
以上の工程により、酸化物半導体膜７１６中の水素の濃度を低減することができる。それにより酸化物半導体膜の安定化を図ることができる。また、ガラス転移温度以下の加熱処理で、水素に起因するキャリア密度が少なく、バンドギャップの広い酸化物半導体膜を形成することができる。このため、大面積基板を用いてトランジスタを作製することができ、量産性を高めることができる。上記加熱処理は、酸化物半導体膜の成膜以降であれば、いつでも行うことができる。
【０２１８】
なお、酸化物半導体膜は非晶質であっても良いが、結晶性を有していても良い。結晶性を有する酸化物半導体膜としては、ｃ軸配向を有した結晶（Ｃ  Ａｘｉｓ  Ａｌｉｇｎｅｄ  Ｃｒｙｓｔａｌ：ＣＡＡＣとも呼ぶ）を含む酸化物であっても、トランジスタの信頼性を高めるという効果を得ることができるので、好ましい。
【０２１９】
ＣＡＡＣで構成された酸化物半導体膜は、スパッタリング法によっても作製することができる。スパッタリング法によってＣＡＡＣを得るには酸化物半導体膜の堆積初期段階において六方晶の結晶が形成されるようにすることと、当該結晶を種として結晶が成長されるようにすることが肝要である。そのためには、ターゲットと基板の距離を広くとり（例えば、１５０ｍｍ〜２００ｍｍ程度）、基板加熱温度を１００℃〜５００℃、好適には２００℃〜４００℃、さらに好適には２５０℃〜３００℃にすると好ましい。また、これに加えて、成膜時の基板加熱温度よりも高い温度で、堆積された酸化物半導体膜を熱処理することで膜中に含まれるミクロな欠陥や、積層界面の欠陥を修復することができる。
【０２２０】
具体的に、ＣＡＡＣは、非単結晶であって、そのａｂ面に垂直な方向から見て、三角形、六角形、正三角形、または正六角形の原子配列を有する。なおかつ、ＣＡＡＣは、ｃ軸方向に金属原子が層状に配列した相、または、金属原子と酸素原子が層状に配列した相を、含む。
【０２２１】
ＣＡＡＣは、非晶質の酸化物半導体と比較して、金属と酸素の結合が秩序化している。すなわち、酸化物半導体が非晶質の場合は、個々の金属原子によって配位数が異なることも有り得るが、ＣＡＡＣでは金属原子の配位数はほぼ一定となる。そのため、微視的な酸素の欠損が減少し、水素原子（水素イオンを含む）やアルカリ金属原子の脱着による電荷の移動や不安定性を減少させる効果がある。
【０２２２】
従って、ＣＡＡＣで構成された酸化物半導体膜を用いてトランジスタを作製することで、トランジスタへの光照射またはバイアス−熱ストレス（ＢＴ）の付加を行った後に生じる、トランジスタのしきい値電圧の変化量を、低減することができる。よって、安定した電気的特性を有するトランジスタを作製することができる。
【０２２３】
次いで、図１３（Ａ）に示すように、ゲート電極７０７と接し、なおかつ酸化物半導体膜７１６とも接する導電膜７１９と、導電膜７０８と接し、なおかつ酸化物半導体膜７１６とも接する導電膜７２０とを形成する。導電膜７１９及び導電膜７２０は、ソース電極又はドレイン電極として機能する。
【０２２４】
具体的に、導電膜７１９及び導電膜７２０は、ゲート電極７０７及び導電膜７０８を覆うようにスパッタ法や真空蒸着法で導電膜を形成した後、該導電膜を所定の形状に加工（パターニング）することで、形成することができる。
【０２２５】
導電膜７１９及び導電膜７２０となる導電膜は、アルミニウム、クロム、銅、タンタル、チタン、モリブデン、タングステンからから選ばれた元素、又は上述した元素を成分とする合金か、上述した元素を組み合わせた合金膜等が挙げられる。また、アルミニウム、銅などの金属膜の下側もしくは上側にクロム、タンタル、チタン、モリブデン、タングステンなどの高融点金属膜を積層させた構成としても良い。また、アルミニウム又は銅は、耐熱性や腐食性の問題を回避するために、高融点金属材料と組み合わせて用いると良い。高融点金属材料としては、モリブデン、チタン、クロム、タンタル、タングステン、ネオジム、スカンジウム、イットリウム等を用いることができる。
【０２２６】
また、導電膜７１９及び導電膜７２０となる導電膜は、単層構造でも、２層以上の積層構造としてもよい。例えば、シリコンを含むアルミニウム膜の単層構造、アルミニウム膜上にチタン膜を積層する２層構造、チタン膜と、そのチタン膜上に重ねてアルミニウム膜を積層し、更にその上にチタン膜を成膜する３層構造などが挙げられる。また、Ｃｕ−Ｍｇ−Ａｌ合金、Ｍｏ−Ｔｉ合金、Ｔｉ、Ｍｏ、は、酸化膜との密着性が高い。よって、下層にＣｕ−Ｍｇ−Ａｌ合金、Ｍｏ−Ｔｉ合金、Ｔｉ、或いはＭｏで構成される導電膜、上層にＣｕで構成される導電膜を積層し、上記積層された導電膜を導電膜７１９及び導電膜７２０に用いることで、酸化膜である絶縁膜と、導電膜７１９及び導電膜７２０との密着性を高めることができる。
【０２２７】
また、導電膜７１９及び導電膜７２０となる導電膜としては、導電性の金属酸化物で形成しても良い。導電性の金属酸化物としては酸化インジウム、酸化スズ、酸化亜鉛、酸化インジウム酸化スズ混合物、酸化インジウム酸化亜鉛混合物又は前記金属酸化物材料にシリコン若しくは酸化シリコンを含ませたものを用いることができる。
【０２２８】
導電膜形成後に加熱処理を行う場合には、この加熱処理に耐える耐熱性を導電膜に持たせることが好ましい。
【０２２９】
なお、導電膜のエッチングの際に、酸化物半導体膜７１６がなるべく除去されないようにそれぞれの材料及びエッチング条件を適宜調節する。エッチング条件によっては、酸化物半導体膜７１６の露出した部分が一部エッチングされることで、溝部（凹部）が形成されることもある。
【０２３０】
本実施の形態では、導電膜にチタン膜を用いる。そのため、アンモニアと過酸化水素水を含む溶液（アンモニア過水）を用いて、選択的に導電膜をウェットエッチングすることができる。具体的には、３１重量％の過酸化水素水と、２８重量％のアンモニア水と水とを、体積比５：２：２で混合したアンモニア過水を用いる。或いは、塩素（Ｃｌ２）、塩化硼素（ＢＣｌ３）などを含むガスを用いて、導電膜をドライエッチングしても良い。
【０２３１】
なお、フォトリソグラフィ工程で用いるフォトマスク数及び工程数を削減するため、透過した光に多段階の強度をもたせる多階調マスクによって形成されたレジストマスクを用いてエッチング工程を行ってもよい。多階調マスクを用いて形成したレジストマスクは複数の膜厚を有する形状となり、エッチングを行うことで更に形状を変形することができるため、異なるパターンに加工する複数のエッチング工程に用いることができる。よって、一枚の多階調マスクによって、少なくとも二種類以上の異なるパターンに対応するレジストマスクを形成することができる。よって露光マスク数を削減することができ、対応するフォトリソグラフィ工程も削減できるため、工程の簡略化が可能となる。
【０２３２】
また、酸化物半導体膜７１６と、ソース電極又はドレイン電極として機能する導電膜７１９及び導電膜７２０との間に、ソース領域及びドレイン領域として機能する酸化物導電膜を設けるようにしても良い。酸化物導電膜の材料としては、酸化亜鉛を成分として含むものが好ましく、酸化インジウムを含まないものであることが好ましい。そのような酸化物導電膜として、酸化亜鉛、酸化亜鉛アルミニウム、酸窒化亜鉛アルミニウム、酸化亜鉛ガリウムなどを適用することができる。
【０２３３】
例えば、酸化物導電膜を形成する場合、酸化物導電膜を形成するためのパターニングと、導電膜７１９及び導電膜７２０を形成するためのパターニングとを一括で行うようにしても良い。
【０２３４】
ソース領域及びドレイン領域として機能する酸化物導電膜を設けることで、酸化物半導体膜７１６と導電膜７１９及び導電膜７２０の間の抵抗を下げることができるので、トランジスタの高速動作を実現させることができる。また、ソース領域及びドレイン領域として機能する酸化物導電膜を設けることで、トランジスタの耐圧を高めることができる。
【０２３５】
次いで、Ｎ２Ｏ、Ｎ２、又はＡｒなどのガスを用いたプラズマ処理を行うようにしても良い。このプラズマ処理によって露出している酸化物半導体膜の表面に付着した水などを除去する。また、酸素とアルゴンの混合ガスを用いてプラズマ処理を行ってもよい。
【０２３６】
なお、図１４（Ｂ）は、上述の工程が終了した時点での、メモリセルの上面図である。図１４（Ｂ）の破線Ａ１−Ａ２における断面図が、図１３（Ａ）に相当する。
【０２３７】
なお、プラズマ処理を行った後、図１３（Ｂ）に示すように、導電膜７１９及び導電膜７２０と、酸化物半導体膜７１６とを覆うように、ゲート絶縁膜７２１を形成する。そして、ゲート絶縁膜７２１上において、酸化物半導体膜７１６と重なる位置にゲート電極７２２を形成し、導電膜７１９と重なる位置に導電膜７２３を形成する。
【０２３８】
ゲート絶縁膜７２１は、ゲート絶縁膜７０３と同様の材料、同様の積層構造を用いて形成することが可能である。なお、ゲート絶縁膜７２１は、水分や、水素などの不純物を極力含まないことが望ましく、単層の絶縁膜であっても良いし、積層された複数の絶縁膜で構成されていても良い。ゲート絶縁膜７２１に水素が含まれると、その水素が酸化物半導体膜７１６へ侵入し、又は水素が酸化物半導体膜７１６中の酸素を引き抜き、酸化物半導体膜７１６が低抵抗化（ｎ型化）してしまい、寄生チャネルが形成されるおそれがある。よって、ゲート絶縁膜７２１はできるだけ水素を含まない膜になるように、成膜方法に水素を用いないことが重要である。上記ゲート絶縁膜７２１には、バリア性の高い材料を用いるのが望ましい。例えば、バリア性の高い絶縁膜として、窒化珪素膜、窒化酸化珪素膜、窒化アルミニウム膜、又は窒化酸化アルミニウム膜などを用いることができる。複数の積層された絶縁膜を用いる場合、窒素の含有比率が低い酸化珪素膜、酸化窒化珪素膜などの絶縁膜を、上記バリア性の高い絶縁膜よりも、酸化物半導体膜７１６に近い側に形成する。そして、窒素の含有比率が低い絶縁膜を間に挟んで、導電膜７１９及び導電膜７２０及び酸化物半導体膜７１６と重なるように、バリア性の高い絶縁膜を形成する。バリア性の高い絶縁膜を用いることで、酸化物半導体膜７１６内、ゲート絶縁膜７２１内、或いは、酸化物半導体膜７１６と他の絶縁膜の界面とその近傍に、水分又は水素などの不純物が入り込むのを防ぐことができる。また、酸化物半導体膜７１６に接するように窒素の比率が低い酸化珪素膜、酸化窒化珪素膜などの絶縁膜を形成することで、バリア性の高い材料を用いた絶縁膜が直接酸化物半導体膜７１６に接するのを防ぐことができる。
【０２３９】
本実施の形態では、スパッタ法で形成された膜厚２００ｎｍの酸化珪素膜上に、スパッタ法で形成された膜厚１００ｎｍの窒化珪素膜を積層させた構造を有する、ゲート絶縁膜７２１を形成する。成膜時の基板温度は、室温以上３００℃以下とすればよく、本実施の形態では１００℃とする。
【０２４０】
なお、ゲート絶縁膜７２１を形成した後に、加熱処理を施しても良い。加熱処理は、窒素、超乾燥空気、又は希ガス（アルゴン、ヘリウムなど）の雰囲気下において、好ましくは２００℃以上４００℃以下、例えば２５０℃以上３５０℃以下で行う。上記ガスは、水の含有量が２０ｐｐｍ以下、好ましくは１ｐｐｍ以下、より好ましくは１０ｐｐｂ以下であることが望ましい。本実施の形態では、例えば、窒素雰囲気下で２５０℃、１時間の加熱処理を行う。或いは、導電膜７１９及び導電膜７２０を形成する前に、水分又は水素を低減させるための酸化物半導体膜に対して行った先の加熱処理と同様に、高温短時間のＲＴＡ処理を行っても良い。酸素を含むゲート絶縁膜７２１が設けられた後に、加熱処理が施されることによって、酸化物半導体膜７１６に対して行った先の加熱処理により、酸化物半導体膜７１６に酸素欠損が発生していたとしても、ゲート絶縁膜７２１から酸化物半導体膜７１６に酸素が供与される。そして、酸化物半導体膜７１６に酸素が供与されることで、酸化物半導体膜７１６において、ドナーとなる酸素欠損を低減し、化学量論的組成比を満たすことが可能である。酸化物半導体膜７１６には、化学量論的組成比を超える量の酸素が含まれていることが好ましい。その結果、酸化物半導体膜７１６をｉ型に近づけることができ、酸素欠損によるトランジスタの電気特性のばらつきを軽減し、電気特性の向上を実現することができる。この加熱処理を行うタイミングは、ゲート絶縁膜７２１の形成後であれば特に限定されず、他の工程、例えば樹脂膜形成時の加熱処理や、透明導電膜を低抵抗化させるための加熱処理と兼ねることで、工程数を増やすことなく、酸化物半導体膜７１６をｉ型に近づけることができる。
【０２４１】
また、酸素雰囲気下で酸化物半導体膜７１６に加熱処理を施すことで、酸化物半導体に酸素を添加し、酸化物半導体膜７１６中においてドナーとなる酸素欠損を低減させても良い。加熱処理の温度は、例えば１００℃以上３５０℃未満、好ましくは１５０℃以上２５０℃未満で行う。上記酸素雰囲気下の加熱処理に用いられる酸素ガスには、水、水素などが含まれないことが好ましい。又は、加熱処理装置に導入する酸素ガスの純度を、６Ｎ（９９．９９９９％）以上、好ましくは７Ｎ（９９．９９９９９％）以上、（即ち酸素中の不純物濃度を１ｐｐｍ以下、好ましくは０．１ｐｐｍ以下）とすることが好ましい。
【０２４２】
或いは、イオン注入法又はイオンドーピング法などを用いて、酸化物半導体膜７１６に酸素を添加することで、ドナーとなる酸素欠損を低減させても良い。例えば、２．４５ＧＨｚのマイクロ波でプラズマ化した酸素を酸化物半導体膜７１６に添加すれば良い。
【０２４３】
また、ゲート電極７２２及び導電膜７２３は、ゲート絶縁膜７２１上に導電膜を形成した後、該導電膜をパターニングすることで形成することができる。ゲート電極７２２及び導電膜７２３は、ゲート電極７０７、或いは導電膜７１９及び導電膜７２０と同様の材料を用いて形成することが可能である。
【０２４４】
ゲート電極７２２及び導電膜７２３の膜厚は、１０ｎｍ〜４００ｎｍ、好ましくは１００ｎｍ〜２００ｎｍとする。本実施の形態では、タングステンターゲットを用いたスパッタ法により１５０ｎｍのゲート電極用の導電膜を形成した後、該導電膜をエッチングにより所望の形状に加工（パターニング）することで、ゲート電極７２２及び導電膜７２３を形成する。なお、レジストマスクをインクジェット法で形成してもよい。レジストマスクをインクジェット法で形成するとフォトマスクを使用しないため、製造コストを低減できる。
【０２４５】
以上の工程により、トランジスタ１０７が形成される。
【０２４６】
なお、ゲート絶縁膜７２１を間に挟んで導電膜７１９と導電膜７２３とが重なる部分が、容量素子１２０に相当する。
【０２４７】
図１４（Ｃ）は、上述の工程が終了した時点での、メモリセルの上面図である。図１４（Ｃ）の破線Ａ１−Ａ２における断面図が、図１３（Ｂ）に相当する。
【０２４８】
また、トランジスタ１０７はシングルゲート構造のトランジスタを用いて説明したが、必要に応じて、電気的に接続された複数のゲート電極を有することで、チャネル形成領域を複数有する、マルチゲート構造のトランジスタも形成することができる。
【０２４９】
なお、酸化物半導体膜７１６に接する絶縁膜（本実施の形態においては、ゲート絶縁膜７２１が該当する。）は、第１３族元素及び酸素を含む絶縁材料を用いるようにしても良い。酸化物半導体材料には第１３族元素を含むものが多く、第１３族元素を含む絶縁材料は酸化物半導体との相性が良く、これを酸化物半導体膜に接する絶縁膜に用いることで、酸化物半導体膜との界面の状態を良好に保つことができる。
【０２５０】
第１３族元素を含む絶縁材料とは、絶縁材料に一又は複数の第１３族元素を含むことを意味する。第１３族元素を含む絶縁材料としては、例えば、酸化ガリウム、酸化アルミニウム、酸化アルミニウムガリウム、酸化ガリウムアルミニウムなどがある。ここで、酸化アルミニウムガリウムとは、ガリウムの含有量（原子％）よりアルミニウムの含有量（原子％）が多いものを示し、酸化ガリウムアルミニウムとは、ガリウムの含有量（原子％）がアルミニウムの含有量（原子％）以上のものを示す。
【０２５１】
例えば、ガリウムを含有する酸化物半導体膜に接して絶縁膜を形成する場合に、絶縁膜に酸化ガリウムを含む材料を用いることで酸化物半導体膜と絶縁膜の界面特性を良好に保つことができる。例えば、酸化物半導体膜と酸化ガリウムを含む絶縁膜とを接して設けることにより、酸化物半導体膜と絶縁膜の界面における水素のパイルアップを低減することができる。なお、絶縁膜に酸化物半導体の成分元素と同じ族の元素を用いる場合には、同様の効果を得ることが可能である。例えば、酸化アルミニウムを含む材料を用いて絶縁膜を形成することも有効である。なお、酸化アルミニウムは、水を透過させにくいという特性を有しているため、当該材料を用いることは、酸化物半導体膜への水の侵入防止という点においても好ましい。
【０２５２】
また、酸化物半導体膜７１６に接する絶縁膜は、酸素雰囲気下による熱処理や、酸素ドープなどにより、絶縁材料を化学量論的組成比より酸素が多い状態とすることが好ましい。酸素ドープとは、酸素をバルクに添加することをいう。なお、当該バルクの用語は、酸素を薄膜表面のみでなく薄膜内部に添加することを明確にする趣旨で用いている。また、酸素ドープには、プラズマ化した酸素をバルクに添加する酸素プラズマドープが含まれる。また、酸素ドープは、イオン注入法又はイオンドーピング法を用いて行ってもよい。
【０２５３】
例えば、酸化物半導体膜７１６に接する絶縁膜として酸化ガリウムを用いた場合、酸素雰囲気下による熱処理や、酸素ドープを行うことにより、酸化ガリウムの組成をＧａ２ＯＸ（Ｘ＝３＋α、０＜α＜１）とすることができる。
【０２５４】
また、酸化物半導体膜７１６に接する絶縁膜として酸化アルミニウムを用いた場合、酸素雰囲気下による熱処理や、酸素ドープを行うことにより、酸化アルミニウムの組成をＡｌ２ＯＸ（Ｘ＝３＋α、０＜α＜１）とすることができる。
【０２５５】
また、酸化物半導体膜７１６に接する絶縁膜として酸化ガリウムアルミニウム（酸化アルミニウムガリウム）を用いた場合、酸素雰囲気下による熱処理や、酸素ドープを行うことにより、酸化ガリウムアルミニウム（酸化アルミニウムガリウム）の組成をＧａＸＡｌ２−ＸＯ３＋α（０＜Ｘ＜２、０＜α＜１）とすることができる。
【０２５６】
酸素ドープ処理を行うことにより、化学量論的組成比より酸素が多い領域を有する絶縁膜を形成することができる。このような領域を備える絶縁膜と酸化物半導体膜が接することにより、絶縁膜中の過剰な酸素が酸化物半導体膜に供給され、酸化物半導体膜中、又は酸化物半導体膜と絶縁膜の界面における酸素欠陥を低減し、酸化物半導体膜をｉ型化又はｉ型に限りなく近くすることができる。
【０２５７】
なお、化学量論的組成比より酸素が多い領域を有する絶縁膜は、酸化物半導体膜７１６に接する絶縁膜のうち、上層に位置する絶縁膜又は下層に位置する絶縁膜のうち、どちらか一方のみに用いても良いが、両方の絶縁膜に用いる方が好ましい。化学量論的組成比より酸素が多い領域を有する絶縁膜を、酸化物半導体膜７１６に接する絶縁膜の、上層及び下層に位置する絶縁膜に用い、酸化物半導体膜７１６を挟む構成とすることで、上記効果をより高めることができる。
【０２５８】
また、酸化物半導体膜７１６の上層又は下層に用いる絶縁膜は、上層と下層で同じ構成元素を有する絶縁膜としても良いし、異なる構成元素を有する絶縁膜としても良い。例えば、上層と下層とも、組成がＧａ２ＯＸ（Ｘ＝３＋α、０＜α＜１）の酸化ガリウムとしても良いし、上層と下層の一方を組成がＧａ２ＯＸ（Ｘ＝３＋α、０＜α＜１）の酸化ガリウムとし、他方を組成がＡｌ２ＯＸ（Ｘ＝３＋α、０＜α＜１）の酸化アルミニウムとしても良い。
【０２５９】
また、酸化物半導体膜７１６に接する絶縁膜は、化学量論的組成比より酸素が多い領域を有する絶縁膜の積層としても良い。例えば、酸化物半導体膜７１６の上層に組成がＧａ２ＯＸ（Ｘ＝３＋α、０＜α＜１）の酸化ガリウムを形成し、その上に組成がＧａＸＡｌ２−ＸＯ３＋α（０＜Ｘ＜２、０＜α＜１）の酸化ガリウムアルミニウム（酸化アルミニウムガリウム）を形成してもよい。なお、酸化物半導体膜７１６の下層を、化学量論的組成比より酸素が多い領域を有する絶縁膜の積層としても良いし、酸化物半導体膜７１６の上層及び下層の両方を、化学量論的組成比より酸素が多い領域を有する絶縁膜の積層としても良い。
【０２６０】
次に、図１３（Ｃ）に示すように、ゲート絶縁膜７２１、導電膜７２３、ゲート電極７２２を覆うように、絶縁膜７２４を形成する。絶縁膜７２４は、ＰＶＤ法やＣＶＤ法などを用いて形成することができる。また、酸化珪素、酸化窒化珪素、窒化珪素、酸化ハフニウム、酸化ガリウム、酸化アルミニウム等の無機絶縁材料を含む材料を用いて形成することができる。なお、絶縁膜７２４には、誘電率の低い材料や、誘電率の低い構造（多孔性の構造など）を用いることが望ましい。絶縁膜７２４の誘電率を低くすることにより、配線や電極などの間に生じる寄生容量を低減し、動作の高速化を図ることができるためである。なお、本実施の形態では、絶縁膜７２４を単層構造としているが、本発明の一態様はこれに限定されず、２層以上の積層構造としても良い。
【０２６１】
次に、ゲート絶縁膜７２１、絶縁膜７２４に開口部７２５を形成し、導電膜７２０の一部を露出させる。その後、絶縁膜７２４上に、上記開口部７２５において導電膜７２０と接する配線７２６を形成する。
【０２６２】
配線７２６は、ＰＶＤ法や、ＣＶＤ法を用いて導電膜を形成した後、当該導電膜をパターニングすることによって形成される。また、導電膜の材料としては、アルミニウム、クロム、銅、タンタル、チタン、モリブデン、タングステンから選ばれた元素や、上述した元素を成分とする合金等を用いることができる。マンガン、マグネシウム、ジルコニウム、ベリリウム、ネオジム、スカンジウムのいずれか、又はこれらを複数組み合わせた材料を用いてもよい。
【０２６３】
より具体的には、例えば、絶縁膜７２４の開口を含む領域にＰＶＤ法によりチタン膜を薄く（５ｎｍ程度）形成した後に、開口部７２５に埋め込むようにアルミニウム膜を形成する方法を適用することができる。ここで、ＰＶＤ法により形成されるチタン膜は、被形成面の酸化膜（自然酸化膜など）を還元し、下部電極など（ここでは導電膜７２０）との接触抵抗を低減させる機能を有する。また、アルミニウム膜のヒロックを防止することができる。また、チタンや窒化チタンなどによるバリア膜を形成した後に、メッキ法により銅膜を形成してもよい。
【０２６４】
絶縁膜７２４に形成する開口部７２５は、導電膜７０８と重畳する領域に形成することが望ましい。このような領域に開口部７２５を形成することで、コンタクト領域に起因する素子面積の増大を抑制することができる。
【０２６５】
ここで、導電膜７０８を用いずに、不純物領域７０４と導電膜７２０との接続と、導電膜７２０と配線７２６との接続とを重畳させる場合について説明する。この場合、不純物領域７０４上に形成された絶縁膜７１２、絶縁膜７１３に開口部（下部の開口部と呼ぶ）を形成し、下部の開口部を覆うように導電膜７２０を形成した後、ゲート絶縁膜７２１及び絶縁膜７２４において、下部の開口部と重畳する領域に開口部（上部の開口部と呼ぶ）を形成し、配線７２６を形成することになる。下部の開口部と重畳する領域に上部の開口部を形成する際に、エッチングにより下部の開口部に形成された導電膜７２０が断線してしまうおそれがある。これを避けるために、下部の開口部と上部の開口部が重畳しないように形成することにより、素子面積が増大するという問題がおこる。
【０２６６】
本実施の形態に示すように、導電膜７０８を用いることにより、導電膜７２０を断線させずに上部の開口部を形成することが可能となる。これにより、下部の開口部と上部の開口部を重畳させて設けることができるため、開口部に起因する素子面積の増大を抑制することができる。つまり、信号処理回路の集積度を高めることができる。
【０２６７】
次に、配線７２６を覆うように絶縁膜７２７を形成する。上述した一連の工程により、記憶装置を作製することができる。
【０２６８】
なお、上記作製方法では、ソース電極及びドレイン電極として機能する導電膜７１９及び導電膜７２０が、酸化物半導体膜７１６の後に形成されている。よって、図１３（Ｂ）に示すように、上記作製方法によって得られるトランジスタ１０７は、導電膜７１９及び導電膜７２０が、酸化物半導体膜７１６の上に形成されている。しかし、トランジスタ１０７は、ソース電極及びドレイン電極として機能する導電膜が、酸化物半導体膜７１６の下、すなわち、酸化物半導体膜７１６と絶縁膜７１２及び絶縁膜７１３の間に設けられていても良い。
【０２６９】
図１５に、ソース電極及びドレイン電極として機能する導電膜７１９及び導電膜７２０が、酸化物半導体膜７１６と絶縁膜７１２及び絶縁膜７１３の間に設けられている場合の、メモリセルの断面図を示す。図１５に示すトランジスタ１０７は、絶縁膜７１３を形成した後に導電膜７１９及び導電膜７２０の形成を行い、次いで酸化物半導体膜７１６の形成を行うことで、得ることができる。
【０２７０】
本実施の形態は、上記実施の形態と適宜組み合わせて実施することが可能である。
【０２７１】
（実施の形態７）
本実施の形態では、実施の形態６とは異なる構造を有した、酸化物半導体膜を用いたトランジスタについて説明する。
【０２７２】
図１６（Ａ）に示すトランジスタ９０１は、絶縁膜９０２上に形成された、活性層として機能する酸化物半導体膜９０３と、酸化物半導体膜９０３上に形成されたソース電極９０４及びドレイン電極９０５と、酸化物半導体膜９０３、ソース電極９０４及びドレイン電極９０５上のゲート絶縁膜９０６と、ゲート絶縁膜９０６上において酸化物半導体膜９０３と重なる位置に設けられたゲート電極９０７とを有する。
【０２７３】
図１６（Ａ）に示すトランジスタ９０１は、ゲート電極９０７が酸化物半導体膜９０３の上に形成されているトップゲート型であり、なおかつ、ソース電極９０４及びドレイン電極９０５が酸化物半導体膜９０３の上に形成されているトップコンタクト型である。そして、トランジスタ９０１は、ソース電極９０４及びドレイン電極９０５と、ゲート電極９０７とが重なっていない。すなわち、ソース電極９０４及びドレイン電極９０５とゲート電極９０７との間には、ゲート絶縁膜９０６の膜厚よりも大きい間隔が設けられている。よって、トランジスタ９０１は、ソース電極９０４及びドレイン電極９０５とゲート電極９０７との間に形成される寄生容量を小さく抑えることができるので、高速動作を実現することができる。
【０２７４】
また、酸化物半導体膜９０３は、ゲート電極９０７が形成された後に酸化物半導体膜９０３にｎ型の導電性を付与するドーパントを添加することで得られる、一対の高濃度領域９０８を有する。また、酸化物半導体膜９０３のうち、ゲート絶縁膜９０６を間に挟んでゲート電極９０７と重なる領域がチャネル形成領域９０９である。酸化物半導体膜９０３では、一対の高濃度領域９０８の間にチャネル形成領域９０９が設けられている。高濃度領域９０８を形成するためのドーパントの添加は、イオン注入法を用いることができる。ドーパントは、例えばヘリウム、アルゴン、キセノンなどの希ガスや、窒素、リン、ヒ素、アンチモンなどの５族原子などを用いることができる。
【０２７５】
例えば、窒素をドーパントとして用いた場合、高濃度領域９０８中の窒素原子の濃度は、５×１０１９／ｃｍ３以上１×１０２２／ｃｍ３以下であることが望ましい。
【０２７６】
ｎ型の導電性を付与するドーパントが添加されている高濃度領域９０８は、酸化物半導体膜９０３中の他の領域に比べて導電性が高くなる。よって、高濃度領域９０８を酸化物半導体膜９０３に設けることで、ソース電極９０４とドレイン電極９０５の間の抵抗を下げることができる。
【０２７７】
また、Ｉｎ−Ｇａ−Ｚｎ系酸化物半導体を酸化物半導体膜９０３に用いた場合、窒素を添加した後、３００℃以上６００℃以下で１時間程度加熱処理を施すことにより、高濃度領域９０８中の酸化物半導体はウルツ鉱型の結晶構造を有するようになる。高濃度領域９０８中の酸化物半導体がウルツ鉱型の結晶構造を有することで、さらに高濃度領域９０８の導電性を高め、ソース電極９０４とドレイン電極９０５の間の抵抗を下げることができる。なお、ウルツ鉱型の結晶構造を有する酸化物半導体を形成して、ソース電極９０４とドレイン電極９０５の間の抵抗を効果的に下げるためには、窒素をドーパントとして用いた場合、高濃度領域９０８中の窒素原子の濃度を、１×１０２０／ｃｍ３以上７ａｔｏｍｓ％以下とすることが望ましい。しかし、窒素原子が上記範囲よりも低い濃度であっても、ウルツ鉱型の結晶構造を有する酸化物半導体が得られる場合もある。
【０２７８】
また、酸化物半導体膜９０３は、ＣＡＡＣで構成されていても良い。酸化物半導体膜９０３がＣＡＡＣで構成されている場合、非晶質の場合に比べて酸化物半導体膜９０３の導電率を高めることができるので、ソース電極９０４とドレイン電極９０５の間の抵抗を下げることができる。
【０２７９】
そして、ソース電極９０４とドレイン電極９０５の間の抵抗を下げることで、トランジスタ９０１の微細化を進めても、高いオン電流と、高速動作を確保することができる。また、トランジスタ９０１の微細化により、メモリセルの占める面積を縮小化し、セルアレイの単位面積あたりの記憶容量を高めることができる。
【０２８０】
図１６（Ｂ）に示すトランジスタ９１１は、絶縁膜９１２上に形成されたソース電極９１４及びドレイン電極９１５と、ソース電極９１４及びドレイン電極９１５上に形成された活性層として機能する酸化物半導体膜９１３と、酸化物半導体膜９１３、ソース電極９１４及びドレイン電極９１５上のゲート絶縁膜９１６と、ゲート絶縁膜９１６上において酸化物半導体膜９１３と重なる位置に設けられたゲート電極９１７とを有する。
【０２８１】
図１６（Ｂ）に示すトランジスタ９１１は、ゲート電極９１７が酸化物半導体膜９１３の上に形成されているトップゲート型であり、なおかつ、ソース電極９１４及びドレイン電極９１５が酸化物半導体膜９１３の下に形成されているボトムコンタクト型である。そして、トランジスタ９１１は、トランジスタ９０１と同様に、ソース電極９１４及びドレイン電極９１５と、ゲート電極９１７とが重なっていないので、ソース電極９１４及びドレイン電極９１５とゲート電極９１７との間に形成される寄生容量を小さく抑えることができ、高速動作を実現することができる。
【０２８２】
また、酸化物半導体膜９１３は、ゲート電極９１７が形成された後に酸化物半導体膜９１３にｎ型の導電性を付与するドーパントを添加することで得られる、一対の高濃度領域９１８を有する。また、酸化物半導体膜９１３のうち、ゲート絶縁膜９１６を間に挟んでゲート電極９１７と重なる領域がチャネル形成領域９１９である。酸化物半導体膜９１３では、一対の高濃度領域９１８の間にチャネル形成領域９１９が設けられている。
【０２８３】
高濃度領域９１８は、上述した、トランジスタ９０１が有する高濃度領域９０８の場合と同様に、イオン注入法を用いて形成することができる。そして、高濃度領域９１８を形成するためのドーパントの種類については、高濃度領域９０８の場合を参照することができる。
【０２８４】
例えば、窒素をドーパントとして用いた場合、高濃度領域９１８中の窒素原子の濃度は、５×１０１９／ｃｍ３以上１×１０２２／ｃｍ３以下であることが望ましい。
【０２８５】
ｎ型の導電性を付与するドーパントが添加されている高濃度領域９１８は、酸化物半導体膜９１３中の他の領域に比べて導電性が高くなる。よって、高濃度領域９１８を酸化物半導体膜９１３に設けることで、ソース電極９１４とドレイン電極９１５の間の抵抗を下げることができる。
【０２８６】
また、Ｉｎ−Ｇａ−Ｚｎ系酸化物半導体を酸化物半導体膜９１３に用いた場合、窒素を添加した後、３００℃以上６００℃以下程度で加熱処理を施すことにより、高濃度領域９１８中の酸化物半導体はウルツ鉱型の結晶構造を有するようになる。高濃度領域９１８中の酸化物半導体がウルツ鉱型の結晶構造を有することで、さらに高濃度領域９１８の導電性を高め、ソース電極９１４とドレイン電極９１５の間の抵抗を下げることができる。なお、ウルツ鉱型の結晶構造を有する酸化物半導体を形成して、ソース電極９１４とドレイン電極９１５の間の抵抗を効果的に下げるためには、窒素をドーパントとして用いた場合、高濃度領域９１８中の窒素原子の濃度を、１×１０２０／ｃｍ３以上７ａｔｏｍｓ％以下とすることが望ましい。しかし、窒素原子が上記範囲よりも低い濃度であっても、ウルツ鉱型の結晶構造を有する酸化物半導体が得られる場合もある。
【０２８７】
また、酸化物半導体膜９１３は、ＣＡＡＣで構成されていても良い。酸化物半導体膜９１３がＣＡＡＣで構成されている場合、非晶質の場合に比べて酸化物半導体膜９１３の導電率を高めることができるので、ソース電極９１４とドレイン電極９１５の間の抵抗を下げることができる。
【０２８８】
そして、ソース電極９１４とドレイン電極９１５の間の抵抗を下げることで、トランジスタ９１１の微細化を進めても、高いオン電流と、高速動作を確保することができる。また、トランジスタ９１１の微細化により、メモリセルの占める面積を縮小化し、セルアレイの単位面積あたりの記憶容量を高めることができる。
【０２８９】
図１６（Ｃ）に示すトランジスタ９２１は、絶縁膜９２２上に形成された、活性層として機能する酸化物半導体膜９２３と、酸化物半導体膜９２３上に形成されたソース電極９２４及びドレイン電極９２５と、酸化物半導体膜９２３、ソース電極９２４及びドレイン電極９２５上のゲート絶縁膜９２６と、ゲート絶縁膜９２６上において酸化物半導体膜９２３と重なる位置に設けられたゲート電極９２７とを有する。さらに、トランジスタ９２１は、ゲート電極９２７の側部に設けられた、絶縁膜で形成されたサイドウォール９３０を有する。
【０２９０】
図１６（Ｃ）に示すトランジスタ９２１は、ゲート電極９２７が酸化物半導体膜９２３の上に形成されているトップゲート型であり、なおかつ、ソース電極９２４及びドレイン電極９２５が酸化物半導体膜９２３の上に形成されているトップコンタクト型である。そして、トランジスタ９２１は、トランジスタ９０１と同様に、ソース電極９２４及びドレイン電極９２５と、ゲート電極９２７とが重なっていないので、ソース電極９２４及びドレイン電極９２５とゲート電極９２７との間に形成される寄生容量を小さく抑えることができ、高速動作を実現することができる。
【０２９１】
また、酸化物半導体膜９２３は、ゲート電極９２７が形成された後に酸化物半導体膜９２３にｎ型の導電性を付与するドーパントを添加することで得られる、一対の高濃度領域９２８と、一対の低濃度領域９２９とを有する。また、酸化物半導体膜９２３のうち、ゲート絶縁膜９２６を間に挟んでゲート電極９２７と重なる領域がチャネル形成領域９３１である。酸化物半導体膜９２３では、一対の高濃度領域９２８の間に一対の低濃度領域９２９が設けられ、一対の低濃度領域９２９の間にチャネル形成領域９３１が設けられている。そして、一対の低濃度領域９２９は、酸化物半導体膜９２３中の、ゲート絶縁膜９２６を間に挟んでサイドウォール９３０と重なる領域に設けられている。
【０２９２】
高濃度領域９２８及び低濃度領域９２９は、上述した、トランジスタ９０１が有する高濃度領域９０８の場合と同様に、イオン注入法を用いて形成することができる。そして、高濃度領域９２８を形成するためのドーパントの種類については、高濃度領域９０８の場合を参照することができる。
【０２９３】
例えば、窒素をドーパントとして用いた場合、高濃度領域９２８中の窒素原子の濃度は、５×１０１９／ｃｍ３以上１×１０２２／ｃｍ３以下であることが望ましい。また、例えば、窒素をドーパントとして用いた場合、低濃度領域９２９中の窒素原子の濃度は、５×１０１８／ｃｍ３以上５×１０１９／ｃｍ３未満であることが望ましい。
【０２９４】
ｎ型の導電性を付与するドーパントが添加されている高濃度領域９２８は、酸化物半導体膜９２３中の他の領域に比べて導電性が高くなる。よって、高濃度領域９２８を酸化物半導体膜９２３に設けることで、ソース電極９２４とドレイン電極９２５の間の抵抗を下げることができる。また、低濃度領域９２９をチャネル形成領域９３１と高濃度領域９２８の間に設けることで、短チャネル効果による閾値電圧のマイナスシフトを軽減することができる。
【０２９５】
また、Ｉｎ−Ｇａ−Ｚｎ系酸化物半導体を酸化物半導体膜９２３に用いた場合、窒素を添加した後、３００℃以上６００℃以下程度で加熱処理を施すことにより、高濃度領域９２８中の酸化物半導体はウルツ鉱型の結晶構造を有するようになる。さらに、低濃度領域９２９も、窒素の濃度によっては、上記加熱処理によりウルツ鉱型の結晶構造を有する場合もある。高濃度領域９２８中の酸化物半導体がウルツ鉱型の結晶構造を有することで、さらに高濃度領域９２８の導電性を高め、ソース電極９２４とドレイン電極９２５の間の抵抗を下げることができる。なお、ウルツ鉱型の結晶構造を有する酸化物半導体を形成して、ソース電極９２４とドレイン電極９２５の間の抵抗を効果的に下げるためには、窒素をドーパントとして用いた場合、高濃度領域９２８中の窒素原子の濃度を、１×１０２０／ｃｍ３以上７ａｔｏｍｓ％以下とすることが望ましい。しかし、窒素原子が上記範囲よりも低い濃度であっても、ウルツ鉱型の結晶構造を有する酸化物半導体が得られる場合もある。
【０２９６】
また、酸化物半導体膜９２３は、ＣＡＡＣで構成されていても良い。酸化物半導体膜９２３がＣＡＡＣで構成されている場合、非晶質の場合に比べて酸化物半導体膜９２３の導電率を高めることができるので、ソース電極９２４とドレイン電極９２５の間の抵抗を下げることができる。
【０２９７】
そして、ソース電極９２４とドレイン電極９２５の間の抵抗を下げることで、トランジスタ９２１の微細化を進めても、高いオン電流と、高速動作を確保することができる。また、トランジスタ９２１の微細化により、メモリセルの占める面積を縮小化し、セルアレイの単位面積あたりの記憶容量を高めることができる。
【０２９８】
図１６（Ｄ）に示すトランジスタ９４１は、絶縁膜９４２上に形成されたソース電極９４４及びドレイン電極９４５と、ソース電極９４４及びドレイン電極９４５上に形成された活性層として機能する酸化物半導体膜９４３と、酸化物半導体膜９４３、ソース電極９４４及びドレイン電極９４５上のゲート絶縁膜９４６と、ゲート絶縁膜９４６上において酸化物半導体膜９４３と重なる位置に設けられたゲート電極９４７とを有する。さらに、トランジスタ９４１は、ゲート電極９４７の側部に設けられた、絶縁膜で形成されたサイドウォール９５０を有する。
【０２９９】
図１６（Ｄ）に示すトランジスタ９４１は、ゲート電極９４７が酸化物半導体膜９４３の上に形成されているトップゲート型であり、なおかつ、ソース電極９４４及びドレイン電極９４５が酸化物半導体膜９４３の下に形成されているボトムコンタクト型である。そして、トランジスタ９４１は、トランジスタ９０１と同様に、ソース電極９４４及びドレイン電極９４５と、ゲート電極９４７とが重なっていないので、ソース電極９４４及びドレイン電極９４５とゲート電極９４７との間に形成される寄生容量を小さく抑えることができ、高速動作を実現することができる。
【０３００】
また、酸化物半導体膜９４３は、ゲート電極９４７が形成された後に酸化物半導体膜９４３にｎ型の導電性を付与するドーパントを添加することで得られる、一対の高濃度領域９４８と、一対の低濃度領域９４９とを有する。また、酸化物半導体膜９４３のうち、ゲート絶縁膜９４６を間に挟んでゲート電極９４７と重なる領域がチャネル形成領域９５１である。酸化物半導体膜９４３では、一対の高濃度領域９４８の間に一対の低濃度領域９４９が設けられ、一対の低濃度領域９４９の間にチャネル形成領域９５１が設けられている。そして、一対の低濃度領域９４９は、酸化物半導体膜９４３中の、ゲート絶縁膜９４６を間に挟んでサイドウォール９５０と重なる領域に設けられている。
【０３０１】
高濃度領域９４８及び低濃度領域９４９は、上述した、トランジスタ９０１が有する高濃度領域９０８の場合と同様に、イオン注入法を用いて形成することができる。そして、高濃度領域９４８を形成するためのドーパントの種類については、高濃度領域９０８の場合を参照することができる。
【０３０２】
例えば、窒素をドーパントとして用いた場合、高濃度領域９４８中の窒素原子の濃度は、５×１０１９／ｃｍ３以上１×１０２２／ｃｍ３以下であることが望ましい。また、例えば、窒素をドーパントとして用いた場合、低濃度領域９４９中の窒素原子の濃度は、５×１０１８／ｃｍ３以上５×１０１９／ｃｍ３未満であることが望ましい。
【０３０３】
ｎ型の導電性を付与するドーパントが添加されている高濃度領域９４８は、酸化物半導体膜９４３中の他の領域に比べて導電性が高くなる。よって、高濃度領域９４８を酸化物半導体膜９４３に設けることで、ソース電極９４４とドレイン電極９４５の間の抵抗を下げることができる。また、低濃度領域９４９をチャネル形成領域９５１と高濃度領域９４８の間に設けることで、短チャネル効果による閾値電圧のマイナスシフトを軽減することができる。
【０３０４】
また、Ｉｎ−Ｇａ−Ｚｎ系酸化物半導体を酸化物半導体膜９４３に用いた場合、窒素を添加した後、３００℃以上６００℃以下程度で加熱処理を施すことにより、高濃度領域９４８中の酸化物半導体はウルツ鉱型の結晶構造を有するようになる。さらに、低濃度領域９４９も、窒素の濃度によっては、上記加熱処理によりウルツ鉱型の結晶構造を有する場合もある。高濃度領域９４８中の酸化物半導体がウルツ鉱型の結晶構造を有することで、さらに高濃度領域９４８の導電性を高め、ソース電極９４４とドレイン電極９４５の間の抵抗を下げることができる。なお、ウルツ鉱型の結晶構造を有する酸化物半導体を形成して、ソース電極９４４とドレイン電極９４５の間の抵抗を効果的に下げるためには、窒素をドーパントとして用いた場合、高濃度領域９４８中の窒素原子の濃度を、１×１０２０／ｃｍ３以上７ａｔｏｍｓ％以下とすることが望ましい。しかし、窒素原子が上記範囲よりも低い濃度であっても、ウルツ鉱型の結晶構造を有する酸化物半導体が得られる場合もある。
【０３０５】
また、酸化物半導体膜９４３は、ＣＡＡＣで構成されていても良い。酸化物半導体膜９４３がＣＡＡＣで構成されている場合、非晶質の場合に比べて酸化物半導体膜９４３の導電率を高めることができるので、ソース電極９４４とドレイン電極９４５の間の抵抗を下げることができる。
【０３０６】
そして、ソース電極９４４とドレイン電極９４５の間の抵抗を下げることで、トランジスタ９４１の微細化を進めても、高いオン電流と、高速動作を確保することができる。また、トランジスタ９４１の微細化により、メモリセルの占める面積を縮小化し、セルアレイの単位面積あたりの記憶容量を高めることができる。
【０３０７】
なお、酸化物半導体を用いたトランジスタにおいて、ソース領域またはドレイン領域として機能する高濃度領域をセルフアラインプロセスにて作製する方法の一つとして、酸化物半導体膜の表面を露出させて、アルゴンプラズマ処理をおこない、酸化物半導体膜のプラズマにさらされた領域の抵抗率を低下させる方法が開示されている（Ｓ．  Ｊｅｏｎ  ｅｔ  ａｌ．  ”１８０ｎｍ  Ｇａｔｅ  Ｌｅｎｇｔｈ  Ａｍｏｒｐｈｏｕｓ  ＩｎＧａＺｎＯ  Ｔｈｉｎ  Ｆｉｌｍ  Ｔｒａｎｓｉｓｔｏｒ  ｆｏｒ  Ｈｉｇｈ  Ｄｅｎｓｉｔｙ  Ｉｍａｇｅ  Ｓｅｎｓｏｒ  Ａｐｐｌｉｃａｔｉｏｎ”，  ＩＥＤＭ  Ｔｅｃｈ．  Ｄｉｇ．，  ｐ．５０４，  ２０１０．）。
【０３０８】
しかしながら、上記作製方法では、ゲート絶縁膜を形成した後に、ソース領域またはドレイン領域となるべき部分を露出するべく、ゲート絶縁膜を部分的に除去する必要がある。よって、ゲート絶縁膜が除去される際に、下層の酸化物半導体膜も部分的にオーバーエッチングされ、ソース領域またはドレイン領域となるべき部分の膜厚が小さくなってしまう。その結果、ソース領域またはドレイン領域の抵抗が増加し、また、オーバーエッチングによるトランジスタの特性不良が起こりやすくなる。
【０３０９】
トランジスタの微細化を進めるには、加工精度の高いドライエッチング法を採用する必要がある。しかし、上記オーバーエッチングは、酸化物半導体膜とゲート絶縁膜の選択比が十分に確保できないドライエッチング法を採用する場合に、顕著に起こりやすい。
【０３１０】
例えば、酸化物半導体膜が十分な厚さであればオーバーエッチングも問題にはならが、チャネル長を２００ｎｍ以下とする場合には、短チャネル効果を防止する上で、チャネル形成領域となる部分の酸化物半導体膜の厚さは２０ｎｍ以下、好ましくは１０ｎｍ以下であることが求められる。そのような薄い酸化物半導体膜を扱う場合には、酸化物半導体膜のオーバーエッチングは、上述したような、ソース領域またはドレイン領域の抵抗が増加、トランジスタの特性不良を生じさせるため、好ましくない。
【０３１１】
しかし、本発明の一態様のように、酸化物半導体膜へのドーパントの添加を、酸化物半導体膜を露出させず、ゲート絶縁膜を残したまま行うことで、酸化物半導体膜のオーバーエッチングを防ぎ、酸化物半導体膜への過剰なダメージを軽減することができる。また、加えて、酸化物半導体膜とゲート絶縁膜の界面も清浄に保たれる。従って、トランジスタの特性及び信頼性を高めることができる。
【０３１２】
本実施の形態は、上記実施の形態と適宜組み合わせて実施することが可能である。
【０３１３】
（実施の形態８）
本発明の一態様に係る信号処理回路を、携帯電話、スマートフォン、電子書籍などの携帯用の電子機器に応用した場合について説明する。一般的な携帯用の電子機器においては、画像データを一時的に記憶する場合などにＳＲＡＭまたはＤＲＡＭが使用されている。ＳＲＡＭまたはＤＲＡＭが使用される理由として、フラッシュメモリなどに比べて書き込みや読み出しなどの応答速度が速く、画像データの処理を行う際に用いるのに適しているからである。
【０３１４】
一方で、画像データを一時的に記憶するのにＳＲＡＭまたはＤＲＡＭを用いた場合、以下の欠点がある。通常のＳＲＡＭは、図１８（Ａ）に示すように１つのメモリセルがトランジスタ４０１〜トランジスタ４０６の６個のトランジスタで構成されており、それをＸデコーダ４０７、Ｙデコーダ４０８にて駆動している。そして、トランジスタ４０３とトランジスタ４０５とで構成されるインバータと、トランジスタ４０４とトランジスタ４０６とで構成されるインバータとを有している。ＳＲＡＭは応答速度が速いという利点があるが、１つのメモリセルが６つのトランジスタで構成されているため、メモリセルの面積が大きいという欠点がある。デザインルールの最小寸法をＦとしたときに、ＳＲＡＭのメモリセルの面積は、通常１００Ｆ２〜１５０Ｆ２である。このためＳＲＡＭはビットあたりの単価が、各種の半導体記憶装置の中で最も高い。
【０３１５】
それに対して、ＤＲＡＭはメモリセルが図１８（Ｂ）に示されるようにトランジスタ４１１、容量素子４１２によって構成され、それをＸデコーダ４１３、Ｙデコーダ４１４にて駆動している。１つのセルが１つのトランジスタと１つの容量素子で構成されており、メモリセルの面積が小さい。ＤＲＡＭのメモリセルの面積は通常１０Ｆ２以下である。しかし、ＤＲＡＭは常にリフレッシュが必要であり、書き換えを行わない場合でも消費電力が発生する。
【０３１６】
本発明の一態様に係る信号処理回路に用いられている記憶装置は、メモリセルの面積が１０Ｆ２前後であり、且つ頻繁なリフレッシュは不要である。そして、上記記憶装置は、一般的なＳＲＡＭやＤＲＡＭとは異なり、メモリセルの面積縮小化と、消費電力低減という２つの課題を解決することができる。
【０３１７】
図１９は、携帯電話のブロック図である。図１９に示す携帯電話はＲＦ回路４２１、アナログベースバンド回路４２２、デジタルベースバンド回路４２３、バッテリー４２４、電源回路４２５、アプリケーションプロセッサ４２６、フラッシュメモリ４３０、ディスプレイコントローラ４３１、メモリ回路４３２、ディスプレイ４３３、タッチセンサ４３９、音声回路４３７、キーボード４３８などより構成されている。ディスプレイ４３３は表示部４３４、ソースドライバ４３５、ゲートドライバ４３６によって構成されている。アプリケーションプロセッサ４２６はＣＰＵ４２７、ＤＳＰ４２８、インターフェース（ＩＦ）４２９を有している。一般的にメモリ回路４３２はＳＲＡＭまたはＤＲＡＭで構成されているが、メモリ回路４３２に上記実施の形態で示した記憶装置を採用することによって、１ビットあたりの単価と消費電力を低減することが可能になる。
【０３１８】
図２０に、メモリ回路４３２の構成をブロック図で示す。メモリ回路４３２は、記憶装置４４２、記憶装置４４３、スイッチ４４４、スイッチ４４５、及びメモリコントローラ４４１を有している。
【０３１９】
まず、ある画像データが、携帯電話において受信されるか、またはアプリケーションプロセッサ４２６によって形成される。この画像データは、スイッチ４４４を介して記憶装置４４２に記憶される。そして、スイッチ４４４を介して出力された画像データは、ディスプレイコントローラ４３１を介してディスプレイ４３３に送られる。ディスプレイ４３３が、画像データを用いて画像の表示を行う。
【０３２０】
静止画のように、表示される画像に変更がなければ、通常３０Ｈｚ〜６０Ｈｚ程度の周期で、記憶装置４４２から読み出された画像データが、スイッチ４４５を介して、ディスプレイコントローラ４３１に送られ続ける。ユーザーが画面に表示されている画像を書き換える操作を行ったとき、アプリケーションプロセッサ４２６は、新たな画像データを形成し、その画像データはスイッチ４４４を介して記憶装置４４３に記憶される。この新たな画像データの記憶装置４４３への記憶が行われている間にも、記憶装置４４２からスイッチ４４５を介して定期的に画像データが読み出される。
【０３２１】
記憶装置４４３への新たな画像データの記憶が完了すると、次のフレーム期間より、記憶装置４４３に記憶された新しい画像データが読み出され、スイッチ４４５、ディスプレイコントローラ４３１を介して、ディスプレイ４３３に上記画像データが送られる。ディスプレイ４３３では、送られてきた新しい画像データを用いて、画像の表示を行う。この画像データの読み出しは、さらに次の新しい画像データが記憶装置４４２に記憶されるまで、継続される。このように、記憶装置４４２、記憶装置４４３が交互に画像データの書き込みと読み出しを行い、ディスプレイ４３３は画像の表示を行う。
【０３２２】
記憶装置４４２、記憶装置４４３はそれぞれ別の記憶装置には限定されず、１つの記憶装置が有するメモリ領域を、分割して使用してもよい。
【０３２３】
図２１は電子書籍のブロック図である。図２１の電子書籍はバッテリー４５１、電源回路４５２、マイクロプロセッサ４５３、フラッシュメモリ４５４、音声回路４５５、キーボード４５６、メモリ回路４５７、タッチパネル４５８、ディスプレイ４５９、ディスプレイコントローラ４６０によって構成される。マイクロプロセッサ４５３はＣＰＵ４６７、ＤＳＰ４６８、インターフェース（ＩＦ）４６９を有している。本発明の一態様に係る信号処理回路は、メモリ回路４５７に、上記実施の形態に記載した記憶装置を用いることができる。
【０３２４】
例えば、ユーザーが、書籍データ中の特定の箇所において、表示の色を変える、アンダーラインを引く、文字を太くする、文字の書体を変えるなどにより、当該箇所とそれ以外の箇所との違いを明確にするハイライト機能を利用する場合、書籍データのうちユーザーが指定した箇所のデータを記憶する必要がある。メモリ回路４５７は、上記データを一時的に記憶する機能を持つ。なお、上記データを長期に渡って保存する場合には、フラッシュメモリ４５４に上記データをコピーしておいても良い。
【０３２５】
本実施の形態は、上記実施の形態と適宜組み合わせて実施することが可能である。
【０３２６】
（実施の形態９）
本実施の形態では、記憶装置の構造の一形態について説明する。
【０３２７】
図２２及び図２３は、記憶装置の断面図である。図２２及び図２３に示す記憶装置は上部に、多層に形成された複数のメモリセルを有し、下部に論理回路３００４を有する。複数のメモリセルのうち、メモリセル３１７０ａと、メモリセル３１７０ｂを代表で示す。
【０３２８】
なお、メモリセル３１７０ａに含まれるトランジスタ３１７１ａを代表で示す。メモリセル３１７０ｂに含まれるトランジスタ３１７１ｂを代表で示す。トランジスタ３１７１ａ及びトランジスタ３１７１ｂは、酸化物半導体膜にチャネル形成領域を有する。酸化物半導体膜にチャネル形成領域が形成されるトランジスタの構成については、その他の実施の形態において説明した構成と同様であるため、説明は省略する。
【０３２９】
トランジスタ３１７１ａのソース電極及びドレイン電極と同じ層に形成された電極３５０１ａは、電極３５０２ａによって、電極３００３ａと電気的に接続されている。トランジスタ３１７１ｂのソース電極及びドレイン電極と同じ層に形成された電極３５０１ｃは、電極３５０２ｃによって、電極３００３ｃと電気的に接続されている。
【０３３０】
また、論理回路３００４は、酸化物半導体以外の半導体材料をチャネル形成領域として用いたトランジスタ３００１を有する。トランジスタ３００１は、半導体材料（例えば、シリコンなど）を含む基板３０００に素子分離絶縁膜３１０６を設け、素子分離絶縁膜３１０６に囲まれた領域にチャネル形成領域となる領域を形成することによって得られるトランジスタとすることができる。なお、トランジスタ３００１は、絶縁表面上に形成されたシリコン膜等の半導体膜や、ＳＯＩ基板のシリコン膜にチャネル形成領域が形成されるトランジスタであってもよい。トランジスタ３００１の構成については、公知の構成を用いることが可能であるため、説明は省略する。
【０３３１】
トランジスタ３１７１ａと、トランジスタ３００１との間には、配線３１００ａ及び配線３１００ｂが形成されている。配線３１００ａとトランジスタ３００１との間には、絶縁膜３１４０ａが設けられ、配線３１００ａと配線３１００ｂとの間には、絶縁膜３１４１ａが設けられ、配線３１００ｂとトランジスタ３１７１ａとの間には、絶縁膜３１４２ａが設けられている。
【０３３２】
同様に、トランジスタ３１７１ｂと、トランジスタ３１７１ａとの間には、配線３１００ｃ及び配線３１００ｄが形成されている。配線３１００ｃとトランジスタ３１７１ａとの間には、絶縁膜３１４０ｂが設けられ、配線３１００ｃと配線３１００ｄとの間には、絶縁膜３１４１ｂが設けられ、配線３１００ｄとトランジスタ３１７１ｂとの間には、絶縁膜３１４２ｂが設けられている。
【０３３３】
絶縁膜３１４０ａ、絶縁膜３１４１ａ、絶縁膜３１４２ａ、絶縁膜３１４０ｂ、絶縁膜３１４１ｂ、絶縁膜３１４２ｂは、層間絶縁膜として機能し、その表面は平坦化された構成とすることができる。
【０３３４】
配線３１００ａ、配線３１００ｂ、配線３１００ｃ、配線３１００ｄによって、メモリセル間の電気的接続や、論理回路３００４とメモリセルとの電気的接続等を行うことができる。
【０３３５】
論理回路３００４に含まれる電極３３０３は、上部に設けられた回路と電気的に接続することができる。
【０３３６】
例えば、図２２に示すように、電極３５０５によって電極３３０３は配線３１００ａと電気的に接続することができる。配線３１００ａは、電極３５０３ａによって電極３５０１ｂと電気的に接続することができる。こうして、配線３１００ａ及び電極３３０３を、トランジスタ３１７１ａのソースまたはドレインと電気的に接続することができる。また、電極３５０１ｂは、電極３５０２ｂによって、電極３００３ｂと電気的に接続することができる。電極３００３ｂは、電極３５０３ｂによって配線３１００ｃと電気的に接続することができる。
【０３３７】
図２２では、電極３３０３とトランジスタ３１７１ａとの電気的接続は、配線３１００ａを介して行われる例を示したがこれに限定されない。電極３３０３とトランジスタ３１７１ａとの電気的接続は、配線３１００ｂを介して行われてもよいし、配線３１００ａと配線３１００ｂの両方を介して行われてもよい。また、図２３に示すように、電極３３０３とトランジスタ３１７１ａとの電気的接続は、配線３１００ａも配線３１００ｂも介さず行われてもよい。図２３では、電極３３０３は、電極３５０３によって、電極３００３ｂと電気的に接続されている。電極３００３ｂは、トランジスタ３１７１ａのソースまたはドレインと電気的に接続される。こうして、電極３３０３とトランジスタ３１７１ａとの電気的接続をとることができる。
【０３３８】
なお、図２２及び図２３では、２つのメモリセル（メモリセル３１７０ａと、メモリセル３１７０ｂ）が積層された構成を例として示したが、積層するメモリセルの数はこれに限定されない。
【０３３９】
また、図２２及び図２３では、トランジスタ３１７１ａが形成された層と、トランジスタ３００１が形成された層との間には、配線３１００ａが形成された配線層と、配線３１００ｂが形成された配線層との、２つの配線層が設けられた構成を示したがこれに限定されない。トランジスタ３１７１ａが形成された層と、トランジスタ３００１が形成された層との間に、１つの配線層が設けられていてもよいし、３つ以上の配線層が設けられていてもよい。
【０３４０】
また、図２２及び図２３では、トランジスタ３１７１ｂが形成された層と、トランジスタ３１７１ａが形成された層との間には、配線３１００ｃが形成された配線層と、配線３１００ｄが形成された配線層との、２つの配線層が設けられた構成を示したがこれに限定されない。トランジスタ３１７１ｂが形成された層と、トランジスタ３１７１ａが形成された層との間に、１つの配線層が設けられていてもよいし、３つ以上の配線層が設けられていてもよい。
【０３４１】
本実施の形態は、上記実施の形態と適宜組み合わせて実施することが可能である。
【実施例１】
【０３４２】
本発明の一態様に係る信号処理回路を用いることで、消費電力の低い電子機器を提供することが可能である。特に電力の供給を常時受けることが困難な携帯用の電子機器の場合、本発明の一態様に係る消費電力の低い信号処理回路をその構成要素に追加することにより、連続使用時間が長くなるといったメリットが得られる。また、オフ電流が低いトランジスタを用いることで、オフ電流の高さをカバーするための冗長な回路設計が不要となるため、信号処理回路の集積度を高めることができ、信号処理回路を高機能化させることができる。
【０３４３】
本発明の一態様に係る信号処理回路は、表示装置、パーソナルコンピュータ、記録媒体を備えた画像再生装置（代表的にはＤＶＤ：Ｄｉｇｉｔａｌ  Ｖｅｒｓａｔｉｌｅ  Ｄｉｓｃ等の記録媒体を再生し、その画像を表示しうるディスプレイを有する装置）に用いることができる。その他に、本発明の一態様に係る信号処理回路を用いることができる電子機器として、携帯電話、携帯型を含むゲーム機、携帯情報端末、電子書籍、ビデオカメラ、デジタルスチルカメラ、ゴーグル型ディスプレイ（ヘッドマウントディスプレイ）、ナビゲーションシステム、音響再生装置（カーオーディオ、デジタルオーディオプレイヤー等）、複写機、ファクシミリ、プリンター、プリンター複合機、現金自動預け入れ払い機（ＡＴＭ）、自動販売機などが挙げられる。これら電子機器の具体例を図１７に示す。
【０３４４】
図１７（Ａ）は電子書籍であり、筐体７００１、表示部７００２等を有する。本発明の一態様に係る信号処理回路は、電子書籍の駆動を制御するための集積回路に用いることができる。電子書籍の駆動を制御するための集積回路に本発明の一態様に係る信号処理回路を用いることで、消費電力の低い電子書籍を提供することができる。また、可撓性を有する基板を用いることで、信号処理回路に可撓性を持たせることができるので、フレキシブルかつ軽くて使い勝手の良い電子書籍を提供することができる。
【０３４５】
図１７（Ｂ）は表示装置であり、筐体７０１１、表示部７０１２、支持台７０１３等を有する。本発明の一態様に係る信号処理回路は、表示装置の駆動を制御するための集積回路に用いることができる。表示装置の駆動を制御するための集積回路に本発明の一態様に係る信号処理回路を用いることで、消費電力の低い表示装置を提供することができる。なお、表示装置には、パーソナルコンピュータ用、ＴＶ放送受信用、広告表示用などの全ての情報表示用表示装置が含まれる。
【０３４６】
図１７（Ｃ）は表示装置であり、筐体７０２１、表示部７０２２等を有する。本発明の一態様に係る信号処理回路は、表示装置の駆動を制御するための集積回路に用いることができる。表示装置の駆動を制御するための集積回路に本発明の一態様に係る信号処理回路を用いることで、消費電力の低い表示装置を提供することができる。また、可撓性を有する基板を用いることで、信号処理回路に可撓性を持たせることができるので、フレキシブルかつ軽くて使い勝手の良い表示装置を提供することができる。よって、図１７（Ｃ）に示すように、布地などに固定させて表示装置を使用することができ、表示装置の応用の幅が格段に広がる。
【０３４７】
図１７（Ｄ）は携帯型ゲーム機であり、筐体７０３１、筐体７０３２、表示部７０３３、表示部７０３４、マイクロホン７０３５、スピーカー７０３６、操作キー７０３７、スタイラス７０３８等を有する。本発明の一態様に係る信号処理回路は、携帯型ゲーム機の駆動を制御するための集積回路に用いることができる。携帯型ゲーム機の駆動を制御するための集積回路に本発明の一態様に係る信号処理回路を用いることで、消費電力の低い携帯型ゲーム機を提供することができる。なお、図１７（Ｄ）に示した携帯型ゲーム機は、２つの表示部７０３３と表示部７０３４とを有しているが、携帯型ゲーム機が有する表示部の数は、これに限定されない。
【０３４８】
図１７（Ｅ）は携帯電話であり、筐体７０４１、表示部７０４２、音声入力部７０４３、音声出力部７０４４、操作キー７０４５、受光部７０４６等を有する。受光部７０４６において受信した光を電気信号に変換することで、外部の画像を取り込むことができる。本発明の一態様に係る信号処理回路は、携帯電話の駆動を制御するための集積回路に用いることができる。携帯電話の駆動を制御するための集積回路に本発明の一態様に係る信号処理回路を用いることで、消費電力の低い携帯電話を提供することができる。
【０３４９】
図１７（Ｆ）は携帯情報端末であり、筐体７０５１、表示部７０５２、操作キー７０５３等を有する。図１７（Ｆ）に示す携帯情報端末は、モデムが筐体７０５１に内蔵されていても良い。本発明の一態様に係る信号処理回路は、携帯情報端末の駆動を制御するための集積回路に用いることができる。携帯情報端末の駆動を制御するための集積回路に本発明の一態様に係る信号処理回路を用いることで、消費電力の低い携帯情報端末を提供することができる。
【０３５０】
本実施例は、上記実施の形態と適宜組み合わせて実施することが可能である。
【符号の説明】
【０３５１】
１００    信号処理回路
１０１    制御装置
１０２    演算装置
１０３    緩衝記憶装置
１０４    主記憶装置
１０５    メモリセル
１０６    記憶素子
１０７    トランジスタ
１１０    基板
１１１    ゲート電極
１１２    絶縁膜
１１３    酸化物半導体膜
１１４    ソース電極
１１５    ドレイン電極
１１６    絶縁膜
１２０    容量素子
１２１    トランジスタ
１２２    容量素子
１２３    トランジスタ
１２４    容量素子
１２５    トランジスタ
１２６    トランジスタ
１２７    トランジスタ
１２８    トランジスタ
１２９    トランジスタ
１３０    トランジスタ
１３１    ダイオード
２００    セルアレイ
２６０    トランジスタ
２６１    トランジスタ
２６２    オペアンプ
３００    セルアレイ
４０１    トランジスタ
４０３    トランジスタ
４０４    トランジスタ
４０５    トランジスタ
４０６    トランジスタ
４０７    Ｘデコーダ
４０８    Ｙデコーダ
４１１    トランジスタ
４１２    容量素子
４１３    Ｘデコーダ
４１４    Ｙデコーダ
４２１    ＲＦ回路
４２２    アナログベースバンド回路
４２３    デジタルベースバンド回路
４２４    バッテリー
４２５    電源回路
４２６    アプリケーションプロセッサ
４２７    ＣＰＵ
４２８    ＤＳＰ
４２９    インターフェース
４３０    フラッシュメモリ
４３１    ディスプレイコントローラ
４３２    メモリ回路
４３３    ディスプレイ
４３４    表示部
４３５    ソースドライバ
４３６    ゲートドライバ
４３７    音声回路
４３８    キーボード
４３９    タッチセンサ
４４１    メモリコントローラ
４４２    記憶装置
４４３    記憶装置
４４４    スイッチ
４４５    スイッチ
４５１    バッテリー
４５２    電源回路
４５３    マイクロプロセッサ
４５４    フラッシュメモリ
４５５    音声回路
４５６    キーボード
４５７    メモリ回路
４５８    タッチパネル
４５９    ディスプレイ
４６０    ディスプレイコントローラ
４６７    ＣＰＵ
４６８    ＤＳＰ
４６９    インターフェース
６００    信号処理回路
６０１    制御装置
６０２    ＡＬＵ
６０３    データキャッシュ
６０４    命令キャッシュ
６０５    プログラムカウンタ
６０６    命令レジスタ
６０７    主記憶装置
６０８    レジスタファイル
７００    基板
７０１    絶縁膜
７０２    半導体膜
７０３    ゲート絶縁膜
７０４    不純物領域
７０５    マスク
７０６    開口部
７０７    ゲート電極
７０８    導電膜
７０９    不純物領域
７１０    チャネル形成領域
７１１    不純物領域
７１２    絶縁膜
７１３    絶縁膜
７１６    酸化物半導体膜
７１９    導電膜
７２０    導電膜
７２１    ゲート絶縁膜
７２２    ゲート電極
７２３    導電膜
７２４    絶縁膜
７２５    開口部
７２６    配線
７２７    絶縁膜
８００    記憶装置
８０１    セルアレイ
８０２    駆動回路
８０３    回路
８０４    ワード線駆動回路
８０５    データ線駆動回路
８０６    制御回路
８０７    デコーダ
８０８    レベルシフタ
８０９    バッファ
８１０    デコーダ
８１１    レベルシフタ
８１２    セレクタ
９０１    トランジスタ
９０２    絶縁膜
９０３    酸化物半導体膜
９０４    ソース電極
９０５    ドレイン電極
９０６    ゲート絶縁膜
９０７    ゲート電極
９０８    高濃度領域
９０９    チャネル形成領域
９１１    トランジスタ
９１２    絶縁膜
９１３    酸化物半導体膜
９１４    ソース電極
９１５    ドレイン電極
９１６    ゲート絶縁膜
９１７    ゲート電極
９１８    高濃度領域
９１９    チャネル形成領域
９２１    トランジスタ
９２２    絶縁膜
９２３    酸化物半導体膜
９２４    ソース電極
９２５    ドレイン電極
９２６    ゲート絶縁膜
９２７    ゲート電極
９２８    高濃度領域
９２９    低濃度領域
９３０    サイドウォール
９３１    チャネル形成領域
９４１    トランジスタ
９４２    絶縁膜
９４３    酸化物半導体膜
９４４    ソース電極
９４５    ドレイン電極
９４６    ゲート絶縁膜
９４７    ゲート電極
９４８    高濃度領域
９４９    低濃度領域
９５０    サイドウォール
９５１    チャネル形成領域
３０００    基板
３００１    トランジスタ
３００３ａ    電極
３００３ｂ    電極
３００３ｃ    電極
３００４    論理回路
３１００ａ    配線
３１００ｂ    配線
３１００ｃ    配線
３１００ｄ    配線
３１０６    素子分離絶縁膜
３１４０ａ    絶縁膜
３１４０ｂ    絶縁膜
３１４１ａ    絶縁膜
３１４１ｂ    絶縁膜
３１４２ａ    絶縁膜
３１４２ｂ    絶縁膜
３１７０ａ    メモリセル
３１７０ｂ    メモリセル
３１７１ａ    トランジスタ
３１７１ｂ    トランジスタ
３３０３    電極
３５０３    電極
３５０５    電極
３５０１ａ    電極
３５０１ｂ    電極
３５０１ｃ    電極
３５０２ａ    電極
３５０２ｂ    電極
３５０２ｃ    電極
３５０３ａ    電極
３５０３ｂ    電極
７００１    筐体
７００２    表示部
７０１１    筐体
７０１２    表示部
７０１３    支持台
７０２１    筐体
７０２２    表示部
７０３１    筐体
７０３２    筐体
７０３３    表示部
７０３４    表示部
７０３５    マイクロホン
７０３６    スピーカー
７０３７    操作キー
７０３８    スタイラス
７０４１    筐体
７０４２    表示部
７０４３    音声入力部
７０４４    音声出力部
７０４５    操作キー
７０４６    受光部
７０５１    筐体
７０５２    表示部
７０５３    操作キー
【図１】
0006030298.tif 000002
【図２】
0006030298.tif 000003
【図３】
0006030298.tif 000004
【図４】
0006030298.tif 000005
【図５】
0006030298.tif 000006
【図６】
0006030298.tif 000007
【図７】
0006030298.tif 000008
【図８】
0006030298.tif 000009
【図９】
0006030298.tif 000010
【図１０】
0006030298.tif 000011
【図１１】
0006030298.tif 000012
【図１２】
0006030298.tif 000013
【図１３】
0006030298.tif 000014
【図１４】
0006030298.tif 000015
【図１５】
0006030298.tif 000016
【図１６】
0006030298.tif 000017
【図１７】
0006030298.tif 000018
【図１８】
0006030298.tif 000019
【図１９】
0006030298.tif 000020
【図２０】
0006030298.tif 000021
【図２１】
0006030298.tif 000022
【図２２】
0006030298.tif 000023
【図２３】
0006030298.tif 000024